(57)【要約】【課題】出力電流容量を変更したい場合や相数を変更したい場合に容易に対応したマルチフェーズ型コンバータシステムを構築する。【解決手段】２相のコンバータ装置１の出力端子部１０と２相のコンバータ装置２の入力端子部８を制御用信号線１３で接続し、コンバータ装置１からコンバータ装置２へ出力電圧制御信号Ｖset、出力電流制御信号Ｉth、相制御信号ＣＬＫoutを供給する。コンバータ装置２の出力端子部１１と２相のコンバータ装置３の入力端子部９を制御用信号線１４で接続し、コンバータ装置２からコンバータ装置３へ出力電圧制御信号Ｖset、出力電流制御信号Ｉth、相制御信号ＣＬＫoutを供給する。そして各制御信号線の入力端子部への嵌合によって各コンバータ装置の動作選択手段の信号選択が相数、すなわち、６フェーズに応じて自動的に行われる。【選択図】      図２
2006280092.tif 000002
【特許請求の範囲】
【請求項１】
ｎ（但し、ｎ≧１）個のＤＣ／ＤＣコンバータでｎ相動作するＤＣ／ＤＣコンバータ装置において、
相数を設定する相設定信号を与える相設定手段と、
クロック信号を発生するクロック信号発生回路と、
出力電圧制御信号を発生する出力電圧制御信号発生回路と、
出力電流制御信号を発生する出力電流制御信号発生回路と、
装置を単体で動作させるか、他のＤＣ／ＤＣコンバータ装置と組み合わせて動作させるかにより決められる内部のＤＣ／ＤＣコンバータの動作クロックに応じて、前記クロック信号発生回路が発生するクロック信号、他のＤＣ／ＤＣコンバータ装置から供給されるクロック信号のいずれかを選択して内部のＤＣ／ＤＣコンバータを動作するための第１のクロック信号を出力し、装置を単体で動作させるか、他のＤＣ／ＤＣコンバータ装置と組み合わせて動作させるかにより前記出力電圧制御信号発生回路が発生する出力電圧制御信号、他のＤＣ／ＤＣコンバータ装置から供給される出力電圧制御信号のいずれかを選択して内部のＤＣ／ＤＣコンバータの出力電圧を制御する出力電圧制御信号を出力し、装置を単体で動作させるか、他のＤＣ／ＤＣコンバータ装置と組み合わせて動作させるかにより前記出力電流制御信号発生回路が発生する出力電流制御信号、他のＤＣ／ＤＣコンバータ装置から供給される出力電流制御信号のいずれかを選択して内部のＤＣ／ＤＣコンバータの出力電流を制御する出力電流制御信号を出力する動作選択手段と、
前記相設定手段からの相設定信号と前記動作選択手段からの第１のクロック信号を入力し、設定した相数に応じた位相で内部のＤＣ／ＤＣコンバータを動作制御するとともに、前記相設定手段からの相設定信号に応じて第１のクロック信号から位相をずらした第２のクロック信号を出力するコンバータ制御部と、
他のＤＣ／ＤＣコンバータ装置から第２のクロック信号、出力電圧制御信号及び出力電流制御信号を入力する入力信号端子と、
他のＤＣ／ＤＣコンバータ装置へ第２のクロック信号、出力電圧制御信号及び出力電流制御信号を出力する出力信号端子を備え、
前記相設定手段は、装置を単体で動作させるか、他のＤＣ／ＤＣコンバータ装置と組み合わせて動作させるかにより決められる相数に応じて相設定信号を設定し、
前記動作選択手段は、他のＤＣ／ＤＣコンバータ装置と組み合わせて動作させる場合に、そのＤＣ／ＤＣコンバータ装置から供給される前記第２のクロック信号及び出力電圧制御信号、出力電流制御信号を、前記入力信号端子を介して自己の装置に取り込ませるのに使用する配線部材の前記入力信号端子への装着によって動作するスイッチ機構を設け、配線部材の装着時には、このスイッチ機構によって他のＤＣ／ＤＣコンバータ装置から供給される第２のクロック信号、出力電圧制御信号及び出力電流制御信号を選択することを特徴とするＤＣ／ＤＣコンバータ装置。
【請求項２】
ｎ（但し、ｎ≧１）個のＤＣ／ＤＣコンバータでｎ相動作するＤＣ／ＤＣコンバータ装置において、
相数を設定する相設定信号を与える相設定手段と、
クロック信号を発生するクロック信号発生回路と、
出力電圧制御信号を発生する出力電圧制御信号発生回路と、
出力電流制御信号を発生する出力電流制御信号発生回路と、
装置を単体で動作させるか、他のＤＣ／ＤＣコンバータ装置と組み合わせて動作させるかにより決められる内部のＤＣ／ＤＣコンバータの動作クロックに応じて、前記クロック信号発生回路が発生するクロック信号、他のＤＣ／ＤＣコンバータ装置から供給されるクロック信号のいずれかを選択して内部のＤＣ／ＤＣコンバータを動作するための第１のクロック信号を出力し、装置を単体で動作させるか、他のＤＣ／ＤＣコンバータ装置と組み合わせて動作させるかにより前記出力電圧制御信号発生回路が発生する出力電圧制御信号、他のＤＣ／ＤＣコンバータ装置から供給される出力電圧制御信号のいずれかを選択して内部のＤＣ／ＤＣコンバータの出力電圧を制御する出力電圧制御信号を出力し、装置を単体で動作させるか、他のＤＣ／ＤＣコンバータ装置と組み合わせて動作させるかにより前記出力電流制御信号発生回路が発生する出力電流制御信号、他のＤＣ／ＤＣコンバータ装置から供給される出力電流制御信号のいずれかを選択して内部のＤＣ／ＤＣコンバータの出力電流を制御する出力電流制御信号を出力する動作選択手段と、
前記相設定手段からの相設定信号と前記動作選択手段からの第１のクロック信号を入力し、設定した相数に応じた位相で内部のＤＣ／ＤＣコンバータを動作制御するとともに、前記相設定手段からの相設定信号に応じて第１のクロック信号から位相をずらした第２のクロック信号を出力するコンバータ制御部と、
他のＤＣ／ＤＣコンバータ装置から第２のクロック信号、出力電圧制御信号及び出力電流制御信号を入力する入力信号端子と、
他のＤＣ／ＤＣコンバータ装置へ第２のクロック信号、出力電圧制御信号及び出力電流制御信号を出力する出力信号端子を備え、
前記相設定手段は、装置を単体で動作させるか、他のＤＣ／ＤＣコンバータ装置と組み合わせて動作させるかにより決められる相数に応じて相設定信号を設定し、
前記動作選択手段は、他のＤＣ／ＤＣコンバータ装置と組み合わせて動作させる場合に、この装置への他のＤＣ／ＤＣコンバータ装置の密着によって動作するスイッチ機構を設け、他のＤＣ／ＤＣコンバータ装置の密着時には、このスイッチ機構によって他のＤＣ／ＤＣコンバータ装置から供給される第２のクロック信号、出力電圧制御信号及び出力電流制御信号を選択することを特徴とするＤＣ／ＤＣコンバータ装置。
【請求項３】
ｎ（但し、ｎ≧１）個のＤＣ／ＤＣコンバータでｎ相動作するＤＣ／ＤＣコンバータ装置において、
相数を設定する相設定信号を与える相設定手段と、
クロック信号を発生するクロック信号発生回路と、
出力電圧制御信号を発生する出力電圧制御信号発生回路と、
出力電流制御信号を発生する出力電流制御信号発生回路と、
装置を単体で動作させるか、他のＤＣ／ＤＣコンバータ装置と組み合わせて動作させるかにより決められる内部のＤＣ／ＤＣコンバータの動作クロックに応じて、前記クロック信号発生回路が発生するクロック信号、他のＤＣ／ＤＣコンバータ装置から供給されるクロック信号のいずれかを選択して内部のＤＣ／ＤＣコンバータを動作するための第１のクロック信号を出力し、装置を単体で動作させるか、他のＤＣ／ＤＣコンバータ装置と組み合わせて動作させるかにより前記出力電圧制御信号発生回路が発生する出力電圧制御信号、他のＤＣ／ＤＣコンバータ装置から供給される出力電圧制御信号のいずれかを選択して内部のＤＣ／ＤＣコンバータの出力電圧を制御する出力電圧制御信号を出力し、装置を単体で動作させるか、他のＤＣ／ＤＣコンバータ装置と組み合わせて動作させるかにより前記出力電流制御信号発生回路が発生する出力電流制御信号、他のＤＣ／ＤＣコンバータ装置から供給される出力電流制御信号のいずれかを選択して内部のＤＣ／ＤＣコンバータの出力電流を制御する出力電流制御信号を出力する動作選択手段と、
前記相設定手段からの相設定信号と前記動作選択手段からの第１のクロック信号を入力し、設定した相数に応じた位相で内部のＤＣ／ＤＣコンバータを動作制御するとともに、前記相設定手段からの相設定信号に応じて第１のクロック信号から位相をずらした第２のクロック信号を出力するコンバータ制御部と、
他のＤＣ／ＤＣコンバータ装置から第２のクロック信号、出力電圧制御信号及び出力電流制御信号を入力する入力信号端子と、
他のＤＣ／ＤＣコンバータ装置へ第２のクロック信号、出力電圧制御信号及び出力電流制御信号を出力する出力信号端子を備え、
前記相設定手段は、装置を単体で動作させるか、他のＤＣ／ＤＣコンバータ装置と組み合わせて動作させるかにより決められる相数に応じて相設定信号を設定し、
前記動作選択手段は、他のＤＣ／ＤＣコンバータ装置と組み合わせて動作させる場合に、そのＤＣ／ＤＣコンバータ装置から供給される前記第２のクロック信号及び出力電圧制御信号、出力電流制御信号を、前記入力信号端子を介して自己の装置に取り込ませるのに使用する配線部材の前記入力信号端子への装着によって短絡される２つの端子を設け、配線部材の装着時には、この２つの端子の短絡によって他のＤＣ／ＤＣコンバータ装置から供給される第２のクロック信号、出力電圧制御信号及び出力電流制御信号を選択することを特徴とするＤＣ／ＤＣコンバータ装置。
【請求項４】
相設定手段は、他のＤＣ／ＤＣコンバータ装置と組み合わせて動作させる場合に、そのＤＣ／ＤＣコンバータ装置に対して出力信号端子を介して第２のクロック信号及び出力電圧制御信号、出力電流制御信号を供給するための配線部材の前記出力信号端子への装着によって短絡又は開放される２つの端子を設け、配線部材の装着時にこの２つの端子が短絡されるか開放されるかによって他のＤＣ／ＤＣコンバータ装置と組み合わせて動作させるときの相数に応じた相設定信号を自動的に設定することを特徴とする請求項１又は３記載のＤＣ／ＤＣコンバータ装置。
【請求項５】
他のＤＣ／ＤＣコンバータ装置から第２のクロック信号、出力電圧制御信号及び出力電流制御信号を入力する入力信号端子と、他のＤＣ／ＤＣコンバータ装置へ第２のクロック信号、出力電圧制御信号及び出力電流制御信号を出力する出力信号端子をそれぞれ端部に配置し、自己の入力信号端子と他のＤＣ／ＤＣコンバータ装置の出力信号端子を接続する場合には入力信号端子と出力信号端子が接近するように両方の装置を密着させ、また自己の出力信号端子と他のＤＣ／ＤＣコンバータ装置の入力信号端子を接続する場合には出力信号端子と入力信号端子が接近するように両方の装置を密着させ、自己の入力信号端子と他のＤＣ／ＤＣコンバータ装置の出力信号端子、自己の出力信号端子と他のＤＣ／ＤＣコンバータ装置の入力信号端子を、空中線の無い嵌合型配線部材を装着して接続し、前記嵌合型配線部材の天部と各装置の天部を面一としたことを特徴とする請求項１乃至４のいずれか１記載のＤＣ／ＤＣコンバータ装置。
【請求項６】
他のＤＣ／ＤＣコンバータ装置から第２のクロック信号、出力電圧制御信号及び出力電流制御信号を入力する入力信号端子を一端部に形成した凸部又は凹部に配置し、他のＤＣ／ＤＣコンバータ装置へ第２のクロック信号、出力電圧制御信号及び出力電流制御信号を出力する出力信号端子を他端部に形成した凹部又は凸部に配置し、自己の入力信号端子と他のＤＣ／ＤＣコンバータ装置の出力信号端子を接続する場合には一端部に形成した凸部又は凹部を他のＤＣ／ＤＣコンバータ装置の凹部又は凸部に両装置が密着しかつ面一状態で嵌合し、自己の入力信号端子と他のＤＣ／ＤＣコンバータ装置の出力信号端子を接続する場合には他端部に形成した凹部又は凸部を他のＤＣ／ＤＣコンバータ装置の凸部又は凹部に両装置が密着しかつ面一状態で嵌合することを特徴とする請求項１乃至４のいずれか１記載のＤＣ／ＤＣコンバータ装置。
【請求項７】
ｎ（但し、ｎ≧１）個のＤＣ／ＤＣコンバータでｎ相動作するＤＣ／ＤＣコンバータ装置において、
相数を設定する相設定信号を与える相設定手段と、
クロック信号を発生するクロック信号発生回路と、
出力電圧制御信号を発生する出力電圧制御信号発生回路と、
出力電流制御信号を発生する出力電流制御信号発生回路と、
前記クロック信号発生回路が発生するクロック信号、他のＤＣ／ＤＣコンバータ装置から供給されるクロック信号のいずれかを選択して内部のＤＣ／ＤＣコンバータを動作するための第１のクロック信号を出力し、前記出力電圧制御信号発生回路が発生する出力電圧制御信号、他のＤＣ／ＤＣコンバータ装置から供給される出力電圧制御信号のいずれかを選択して内部のＤＣ／ＤＣコンバータの出力電圧を制御する出力電圧制御信号を出力し、前記出力電流制御信号発生回路が発生する出力電流制御信号、他のＤＣ／ＤＣコンバータ装置から供給される出力電流制御信号のいずれかを選択して内部のＤＣ／ＤＣコンバータの出力電流を制御する出力電流制御信号を出力し、かつ、動作選択信号を出力する動作選択手段と、
自己の動作位相を設定する接続判別信号を出力する接続判別手段と、
前記相設定手段からの相設定信号と前記動作選択手段からの第１のクロック信号を入力し、設定した相数に応じた位相で内部のＤＣ／ＤＣコンバータを動作制御するとともに、前記相設定手段からの相設定信号に応じて第１のクロック信号から位相をずらした第２のクロック信号を出力するコンバータ制御部と、
他のＤＣ／ＤＣコンバータ装置から第２のクロック信号、出力電圧制御信号及び出力電流制御信号を入力する入力信号端子と、
他のＤＣ／ＤＣコンバータ装置へ第２のクロック信号、出力電圧制御信号及び出力電流制御信号を出力する出力信号端子と、
前記入力信号端子に並べて配置した１対の接続情報端子並びに１対の動作選択端子と、
前記出力信号端子に並べて配置した２対の接続判別端子と、
他のＤＣ／ＤＣコンバータ装置と組み合わせて動作させるとき、前記出力信号端子を他のＤＣ／ＤＣコンバータ装置の入力信号端子に接続し、１対の接続判別端子を短絡するとともに他のＤＣ／ＤＣコンバータ装置の１対の動作選択端子にそれぞれ接続し、もう１対の接続判別端子を他のＤＣ／ＤＣコンバータ装置の１対の接続情報端子にそれぞれ接続し、また、前記入力信号端子を他のＤＣ／ＤＣコンバータ装置の出力信号端子に接続し、１対の動作選択端子を短絡するとともに他のＤＣ／ＤＣコンバータ装置の１対の接続判別端子にそれぞれ接続し、１対の接続情報端子を他のＤＣ／ＤＣコンバータ装置のもう１対の接続判別端子にそれぞれ接続する配線部材を備え、
前記動作選択手段は、前記１対の動作選択端子が短絡されているか否かによって、前記クロック信号発生回路が発生するクロック信号、他のＤＣ／ＤＣコンバータ装置から供給されるクロック信号の選択を行い、前記出力電圧制御信号発生回路が発生する出力電圧制御信号、他のＤＣ／ＤＣコンバータ装置から供給される出力電圧制御信号の選択を行い、前記出力電流制御信号発生回路が発生する出力電流制御信号、他のＤＣ／ＤＣコンバータ装置から供給される出力電流制御信号の選択を行い、かつ、動作選択信号のレベル状態を可変し、
前記接続判別手段は、前記動作選択手段からの動作選択信号のレベル状態によって自己の動作位相を設定する接続判別信号を出力し、
前記相設定手段は、前記接続判別手段からの接続判別信号によって相数に応じた相設定信号を設定することを特徴とするＤＣ／ＤＣコンバータ装置。
【請求項８】
直流電源に接続される外部に露出した主入力電源端子と、負荷に接続される外部に露出した主出力電圧端子と、前記主入力電源端子に内部配線によって接続した外部に露出した複数の副入力電源端子と、前記主出力電圧端子に内部配線によって接続した外部に露出した複数の副出力電圧端子とを有し、前記各副入力電源端子と各副出力電圧端子は、他のＤＣ／ＤＣコンバータ装置と組み合わせて動作させるために両装置を密着して配置させたとき、前記副入力電源端子と他のＤＣ／ＤＣコンバータ装置の副出力電圧端子が接触し、また、前記副出力電圧端子と他のＤＣ／ＤＣコンバータ装置の副入力電源端子が接触する位置に配置したことを特徴とする請求項５又は６記載のＤＣ／ＤＣコンバータ装置。
【請求項９】
交流電源に接続した交流電源入力端子、この交流電源入力端子から入力した交流電圧を直流電圧に変換するＡＣ／ＤＣコンバータ、このＡＣ／ＤＣコンバータからの直流電圧を出力する外部に露出した直流出力電源端子を有するＡＣ／ＤＣコンバータ装置と、
このＡ／Ｃコンバータ装置に嵌合し、かつ密着して配置され、前記Ａ／Ｃコンバータ装置の直流出力電源端子に主入力電源端子を接触した請求項８記載のＤＣ／ＤＣコンバータ装置を有することを特徴とするコンバータシステム。
【発明の詳細な説明】
【技術分野】
【０００１】
本発明は、マルチフェーズ型コンバータシステムを構築するのに適したＤＣ／ＤＣコンバータ装置及びこのＤＣ／ＤＣコンバータ装置を使用したコンバータシステムに関する。
【背景技術】
【０００２】
ＩＴ機器に代表される電子機器の高機能化、高速化、大規模化に伴い、電源への大容量化が要求されている。特に、パーソナルコンピュータや通信機器などにおいては、ＣＰＵの低電圧化が進み、電源の低電圧大電流化が要求されている。このような電源における、低電圧化・大電流化・高速化を実現する方法として、マルチフェーズ型Ｄ／ＤＣコンバータシステムがある。
【０００３】
従来の、マルチフェーズ型Ｄ／ＤＣコンバータシステムは、位相調整回路と複数のＤＣ／ＤＣコンバータを備え、位相調整回路によって各ＤＣ／ＤＣコンバータのスイッチング位相が均等な間隔になるように設定し、負荷に対して各ＤＣ／ＤＣコンバータの出力電流を合成した電流を通電するとともに負荷に対するリップル率の改善を図るようにしている（例えば、特許文献１参照）。
【特許文献１】特開２００３−２８４３３３号公報
【発明の開示】
【発明が解決しようとする課題】
【０００４】
しかしながら、従来のマルチフェーズ型ＤＣ／ＤＣコンバータシステムは、出力電流容量を変更したい場合や相数を変更したい場合に、そのシステムにおいて使用者が自由に出力電流容量や相数を変更することができなかった。このため、要求する出力電流容量のＤＣ／ＤＣコンバータシステムや要求する相数のＤＣ／ＤＣコンバータシステムを別途用意しなければならなかった。
【０００５】
本発明は、出力電流容量を変更したい場合や相数を変更したい場合に容易に対応したマルチフェーズ型コンバータシステムを構築できるＤＣ／ＤＣコンバータ装置及びこのコンバータ装置を使用したコンバータシステムを提供する。
【課題を解決するための手段】
【０００６】
本発明は、ｎ（但し、ｎ≧１）個のＤＣ／ＤＣコンバータでｎ相動作するＤＣ／ＤＣコンバータ装置において、相数を設定する相設定信号を与える相設定手段と、クロック信号を発生するクロック信号発生回路と、出力電圧制御信号を発生する出力電圧制御信号発生回路と、出力電流制御信号を発生する出力電流制御信号発生回路と、装置を単体で動作させるか、他のＤＣ／ＤＣコンバータ装置と組み合わせて動作させるかにより決められる内部のＤＣ／ＤＣコンバータの動作クロックに応じて、クロック信号発生回路が発生するクロック信号、他のＤＣ／ＤＣコンバータ装置から供給されるクロック信号のいずれかを選択して内部のＤＣ／ＤＣコンバータを動作するための第１のクロック信号を出力し、装置を単体で動作させるか、他のＤＣ／ＤＣコンバータ装置と組み合わせて動作させるかにより出力電圧制御信号発生回路が発生する出力電圧制御信号、他のＤＣ／ＤＣコンバータ装置から供給される出力電圧制御信号のいずれかを選択して内部のＤＣ／ＤＣコンバータの出力電圧を制御する出力電圧制御信号を出力し、装置を単体で動作させるか、他のＤＣ／ＤＣコンバータ装置と組み合わせて動作させるかにより出力電流制御信号発生回路が発生する出力電流制御信号、他のＤＣ／ＤＣコンバータ装置から供給される出力電流制御信号のいずれかを選択して内部のＤＣ／ＤＣコンバータの出力電流を制御する出力電流制御信号を出力する動作選択手段と、相設定手段からの相設定信号と動作選択手段からの第１のクロック信号を入力し、設定した相数に応じた位相で内部のＤＣ／ＤＣコンバータを動作制御するとともに、相設定手段からの相設定信号に応じて第１のクロック信号から位相をずらした第２のクロック信号を出力するコンバータ制御部と、他のＤＣ／ＤＣコンバータ装置から第２のクロック信号、出力電圧制御信号及び出力電流制御信号を入力する入力信号端子と、他のＤＣ／ＤＣコンバータ装置へ第２のクロック信号、出力電圧制御信号及び出力電流制御信号を出力する出力信号端子を備え、相設定手段は、装置を単体で動作させるか、他のＤＣ／ＤＣコンバータ装置と組み合わせて動作させるかにより決められる相数に応じて相設定信号を設定し、動作選択手段は、他のＤＣ／ＤＣコンバータ装置と組み合わせて動作させる場合に、そのＤＣ／ＤＣコンバータ装置から供給される第２のクロック信号及び出力電圧制御信号、出力電流制御信号を、入力信号端子を介して自己の装置に取り込ませるのに使用する配線部材の入力信号端子への装着によって動作するスイッチ機構を設け、配線部材の装着時には、このスイッチ機構によって他のＤＣ／ＤＣコンバータ装置から供給される第２のクロック信号、出力電圧制御信号及び出力電流制御信号を選択するＤＣ／ＤＣコンバータ装置にある。
【発明の効果】
【０００７】
本発明によれば、出力電流容量を変更したい場合や相数を変更したい場合に容易に対応したマルチフェーズ型コンバータシステムを構築できるＤＣ／ＤＣコンバータ装置及びこのコンバータ装置を使用したコンバータシステムを提供できる。
【発明を実施するための最良の形態】
【０００８】
以下、本発明の実施の形態を、図面を参照して説明する。  
（第１の実施の形態）
図１は、マルチフェーズ型ＤＣ／ＤＣコンバータシステム全体の構成を示す図である。このマルチフェーズ型ＤＣ／ＤＣコンバータシステムは、それぞれ２相のＤＣ／ＤＣコンバータ電源として単独動作可能な３つのコンバータ装置１，２，３の並列接続の組合せで構成されており、全体で６フェーズ型ＤＣ／ＤＣコンバータシステムを構成している。
【０００９】
前記各コンバータ装置１，２，３は全く同じ回路構成で、直流入力電源ＶDCを共通入力電源、負荷ＲＬを共通負荷として、並列に接続されている。すなわち、コンバータ装置１，２，３は、それぞれ、入力電源端子Ｖin(+)を直流入力電源ＶDCの正極端子に接続するとともに入力電源端子Ｖin(-)を直流入力電源ＶDCの負極端子に接続し、出力電圧端子Ｖout(+)、Ｖout(-)を負荷ＲＬに接続している。
【００１０】
また、コンバータ装置１からコンバータ装置２へ出力電圧制御信号Ｖset、出力電流制御信号Ｉth、相制御信号ＣＬＫoutを供給し、コンバータ装置２からコンバータ装置３へ出力電圧制御信号Ｖset、出力電流制御信号Ｉth、相制御信号ＣＬＫoutを供給するようになっている。
【００１１】
図２は、このマルチフェーズ型ＤＣ／ＤＣコンバータシステムの外観図である。前記各コンバータ装置１，２，３は、それぞれ筐体内に、自己のコンバータ動作を設定するための相設定操作部４，５，６、入力端子部７，８，９及び出力端子部１０，１１，１２を設けている。前記コンバータ装置１からコンバータ装置２へ出力電圧制御信号Ｖset、出力電流制御信号Ｉth、相制御信号ＣＬＫoutを供給は配線部材である制御用信号線１３によって行い、また、前記コンバータ装置２からコンバータ装置３へ出力電圧制御信号Ｖset、出力電流制御信号Ｉth、相制御信号ＣＬＫoutを供給は配線部材である制御用信号線１４によって行っている。
【００１２】
図３は、前記各ＤＣ／ＤＣコンバータ装置１，２，３の回路構成を示す図で、各コンバータ装置は入力電源端子Ｖin(+)，Ｖin(-)、入力コンデンサＣin、出力電圧端子Ｖout(+)，Ｖout(-)、出力コンデンサＣout及びＤＣ／ＤＣコンバータ回路１５から構成されている。また、他のコンバータ装置からの入力信号端子としてＣＬＫin入力端子、Ｖsetin入力端子及びＩthin入力端子を設け、出力信号端子としてＶset出力端子、Ｉth出力端子及びＣＬＫout出力端子を設けている。
【００１３】
前記ＤＣ／ＤＣコンバータ回路１５は、２つのＤＣ／ＤＣコンバータからなる２相のコンバータ回路で、コンバータ制御部を構成するＤＣ／ＤＣコンバータ制御ＩＣ１６、スイッチ素子Ｑ1A、スイッチ素子Ｑ1B、ダイオードＤ1、インダクタＬ1、電流検出抵抗Ｒ1、スイッチ素子Ｑ2A、スイッチ素子Ｑ2B、ダイオードＤ2、インダクタＬ2、電流検出抵抗Ｒ2、ＤＣ／ＤＣコンバータ制御ＩＣ１６の動作クロックを選択して出力するとともに出力電圧制御用信号Ｖsetを選択して出力し、さらに、出力電流制御用信号Ｉthを選択して出力する動作選択手段１７、この動作選択手段１７に供給するクロック信号ＣＬＫsetを発生するクロック信号発生回路１８、前記動作選択手段１７に供給する出力電圧制御信号Ｖsetを発生する出力電圧制御信号発生回路１９、前記動作選択手段１７に供給する出力電流制御信号Ｉthを発生する出力電流制御信号発生回路２０及び相数を設定する相設定信号Ｐsetを前記ＤＣ／ＤＣコンバータ制御ＩＣ１６に供給する相設定手段２１によって構成されている。
【００１４】
前記スイッチ素子Ｑ1A、スイッチ素子Ｑ1BはＤＣ／ＤＣコンバータ制御ＩＣ１６により相補的にスイッチング動作を行い、同様にスイッチ素子Ｑ2A、スイッチ素子Ｑ2BはＤＣ／ＤＣコンバータ制御ＩＣ１６により相補的にスイッチング動作を行う。  
前記相設定手段２１は、例えば、３接点切替型のスイッチからなり、１つの接点は接地電位に接続され、もう１つの接点は＋Ｖcc電圧に接続され、残りの１つの接点はオープン端子になっている。そして、前記各接点に選択的に接続するコモン端子から相設定信号Ｐsetを取り出すようになっている。
【００１５】
そして、このマルチフェーズ型ＤＣ／ＤＣコンバータシステムでは３つのコンバータ装置１，２，３を並列接続しているので全体で６相のＤＣ／ＤＣコンバータシステムを構築できる。この場合、コンバータ装置１の相設定手段２１から出力される相設定信号を信号Ｐset1とし、コンバータ装置２の相設定手段２１から出力される相設定信号を信号Ｐset2とし、コンバータ装置３の相設定手段２１から出力される相設定信号を信号Ｐset3とすると、全ての相設定信号Ｐset1、Ｐset2、Ｐset3を接地電位に設定する。
【００１６】
また、２つのコンバータ装置１，２を使用して４相のマルチフェーズ型ＤＣ／ＤＣコンバータシステムを構築する場合は、コンバータ装置１の相設定手段２１から出力される相設定信号Ｐset1をオープンに設定し、コンバータ装置２の相設定手段２１から出力される相設定信号Ｐset2を接地電位に設定する。また、１つのコンバータ装置１を使用して２相のマルチフェーズ型ＤＣ／ＤＣコンバータシステムを構築する場合は、コンバータ装置１の相設定手段２１から出力される相設定信号Ｐset1を接地電位に設定する。  
これを表にまとめると表１に示すようになる。
【表１】
2006280092.tif 000003
【００１７】
前記動作選択手段１７は、図４に示すように、クロック信号発生回路１８からのクロック信号ＣＬＫset、出力電圧制御信号発生回路１９からの出力電圧制御用信号Ｖset、出力電流制御信号発生回路２０からの出力電流制御信号Ｉthを選択してＤＣ／ＤＣコンバータ制御ＩＣ１６に供給するか、ＣＬＫin入力端子、Ｖsetin入力端子及びＩthin入力端子から入力する他のＤＣ／ＤＣコンバータ装置からのクロック信号ＣＬＫin、出力電圧制御用信号Ｖsetin、出力電流制御信号Ｉthinを選択してＤＣ／ＤＣコンバータ制御ＩＣ１６に供給するかを、３つのスイッチ１７ａ，１７ｂ，１７ｃの可動部の連動切り替え動作により選択する。なお、この切り替えはスイッチ機構を使用せずにジャンパ部材を使用して行ってもよい。
【００１８】
前記動作選択手段１７は、このコンバータ装置を単独で、すなわち、２相コンバータ装置として使用する場合や、マスターコンバータ装置として使用する場合には、クロック信号発生回路１８からのクロック信号ＣＬＫset、出力電圧制御信号発生回路１９からの出力電圧制御用信号Ｖset、出力電流制御信号発生回路２０からの出力電流制御信号Ｉthを選択するようにスイッチを切り替える。また、スレーブコンバータとして使用する場合には他のＤＣ／ＤＣコンバータ装置からのクロック信号ＣＬＫin、出力電圧制御用信号Ｖsetin、出力電流制御信号Ｉthinを選択するようにスイッチを切り替える。前記動作選択手段１７からの出力電圧制御用信号Ｖset0及び出力電流制御信号Ｉth0はＶset出力端子及びＩth出力端子にもそのまま出力している。また、前記動作選択手段１７からのクロック信号は第１のクロック信号ＣＬＫ0として前記ＤＣ／ＤＣコンバータ制御ＩＣ１６に供給される。
【００１９】
前記ＤＣ／ＤＣコンバータ制御ＩＣ１６は、相数設定手段２１より与えられる相数設定信号Ｐset、動作選択手段１７より与えられるクロック信号ＣＬＫ0、電流検出抵抗Ｒ1の両端電圧であり電流検出信号となるＣＳ(+)1、ＣＳ(-)1、電流検出抵抗Ｒ2の両端電圧であり電流検出信号となるＣＳ(+)2、ＣＳ(-)2、出力電圧Ｖo、動作選択手段１７より与えられる出力電圧制御用信号Ｖset0、出力電流制御用信号Ｉth0を入力とし、設定した相数に応じた位相で各スイッチ素子Ｑ1A、Ｑ1B、Ｑ2A、Ｑ2Bを動作制御し、第２のクロック信号である相制御信号ＣＬＫoutを出力する。そして、この相制御信号ＣＬＫoutをＣＬＫout出力端子に出力している。
【００２０】
前記制御用信号線１３は、自己がコンバータ装置１であれば、図５に示すように、自己のコンバータ装置の出力端子部１０にあるＣＬＫout出力端子、Ｖset出力端子、Ｉth出力端子に接続するコネクタ部２２と、他のコンバータ装置２の入力端子部８にあるＣＬＫin入力端子、Ｖsetin入力端子、Ｉthin入力端子に接続するコネクタ部２３と、各コネクタ部２２，２３間を接続する３本の空中線２４ａ，２４ｂ，２４ｃからなる。前記制御用信号線１４も同一の構成になっている。
【００２１】
前記制御用信号線１３のコネクタ部２３を装着するコンバータ装置２の入力端子部８は、図６に示すように、前記コネクタ部２３を嵌合する凹部８ａの底部端に前記動作選択手段１７を設けている。  
この動作選択手段１７は回路構成としては図４に示す構成になっているが、機構的には図７に示す構成になっている。すなわち、回転軸１７１を中心にして回動するＶ字部材１７２の外側に同じくＶ字形状した導電性の第１の接点部材１７３を張付け、この第１の接点部材１７３の一方の側と平面上に配置された導電性の第２の接点部材１７４との間には絶縁材からなる板バネ１７５を設けている。
【００２２】
前記Ｖ字部材１７２は板バネ１７５によって、通常は図中矢印で示すように時計方向に回動した状態に偏倚されており、この状態では第１の接点部材１７３における一方の側の先端部が第２の接点部材１７４から離間し、他方の側の先端部が逆Ｖ字形状の導電性の第３の接点部材１７６の一方の側に接触する。なお、第３の接点部材１７６の他方の側は垂直に配置して固定されている。
【００２３】
前記入力端子部８に前記コネクタ部２３を挿入すると、図８の(a)に示すように、コネクタ部２３の下端縁部によってＶ字部材１７２の一方の側が下方に押し込まれ、これにより、Ｖ字部材１７２が板バネ１７５のバネ力に抗して図中反時計方向に回動し、第１の接点部材１７３における他方の側の先端部が第３の接点部材１７６から離間し、一方の側の先端部が第２の接点部材１７４に接触する。なお、図８の(b)は入力端子部８を上から見た図で、実際にはＶ字部材１７２、第１の接点部材１７３、第２の接点部材１７４、第３の接点部材１７６はそれぞれ３つずつあり、Ｖ字部材１７２ａ、第１の接点部材１７３ａ、第２の接点部材１７４ａ、第３の接点部材１７６ａによってスイッチ１７ａを構成し、Ｖ字部材１７２ｂ、第１の接点部材１７３ｂ、第２の接点部材１７４ｂ、第３の接点部材１７６ｂによってスイッチ１７ｂを構成し、Ｖ字部材１７２ｃ、第１の接点部材１７３ｃ、第２の接点部材１７４ｃ、第３の接点部材１７６ｃによってスイッチ１７ｃを構成している。そして、これらのスイッチ１７ａ，１７ｂ，１７ｃはコネクタ部２３を挿入によって同時に切り替え動作することになる。なお、Ｖ字部材１７２は可動部を構成するものであり、各スイッチ１７ａ，１７ｂ，１７ｃに共通に１個にしたものであってもよい。  
ここではコンバータ装置２の入力端子部８の構成について述べたが、この構成はコンバータ装置１の入力端子部７及びコンバータ装置３の入力端子部９についても同一の構成になっている。
【００２４】
次に、図９に示すタイミング波形と電流波形に基づいてマルチフェーズ制御について述べる。  
コンバータ装置１においては動作選択手段１７を介してクロック信号発生回路１８からのクロック信号ＣＬＫsetが(a)に示すタイミングでコンバータ制御ＩＣ１６に第１のクロック信号ＣＬＫ0として供給され、コンバータ装置２においては動作選択手段１７を介してＣＬＫin入力端子からのクロック信号ＣＬＫinが(b)に示すタイミングでコンバータ制御ＩＣ１６に第１のクロック信号ＣＬＫ0として供給され、コンバータ装置３においては動作選択手段１７を介してＣＬＫin入力端子からのクロック信号ＣＬＫinが(c)に示すタイミングでコンバータ制御ＩＣ１６に第１のクロック信号ＣＬＫ0として供給され、各コンバータ装置１，２，３のＤＣ／ＤＣコンバータ回路が動作する位相が設定される。
【００２５】
コンバータ装置１においては、スイッチ素子Ｑ11Aが(d)に示すタイミングでオン、オフし、スイッチ素子Ｑ11Bが(e)に示すタイミングでオン、オフして１相目を制御する。すなわち、スイッチ素子Ｑ11Aはクロック信号ＣＬＫ0に同期してオン動作し、スイッチ素子Ｑ11Bはスイッチ素子Ｑ11Aがオン動作している間はオフ動作する。
【００２６】
また、スイッチ素子Ｑ12Aが(f)に示すタイミングでオン、オフし、スイッチ素子Ｑ12Bが(g)に示すタイミングでオン、オフして２相目を制御する。スイッチ素子Ｑ12Aは相設定手段２１で設定された相設定信号Ｐsetに基づいてスイッチ素子Ｑ11Aに対し位相が１８０度ずれてオン動作し、スイッチ素子Ｑ12Bはスイッチ素子Ｑ12Aがオン動作している間はオフ動作する。
【００２７】
同様に、コンバータ装置２においては、スイッチ素子Ｑ21Aが(h)に示すタイミングでオン、オフし１相目を制御する。また、スイッチ素子Ｑ22Aが(i)に示すタイミングでオン、オフして２相目を制御する。なお、スイッチ素子Ｑ21B、Ｑ22Bについては図示していないがオン、オフ逆のタイミングになる。
【００２８】
同様に、コンバータ装置３においては、スイッチ素子Ｑ31Aが(j)に示すタイミングでオン、オフし１相目を制御する。また、スイッチ素子Ｑ32Aが(k)に示すタイミングでオン、オフして２相目を制御する。なお、スイッチ素子Ｑ31B、Ｑ32Bについては図示していないがオン、オフ逆のタイミングになる。  
スイッチ素子Ｑ11A、Ｑ11Bのオン、オフ動作によってコンバータ装置１のインダクタＬ11に流れる電流は(l)に示すようになり、スイッチ素子Ｑ12A、Ｑ12Bのオン、オフ動作によってコンバータ装置１のインダクタＬ12に流れる電流は(m)に示すようになる。
【００２９】
コンバータ装置１のコンバータ制御ＩＣ１６は、クロック信号発生回路１８からのクロック信号ＣＬＫsetに対し、相設定手段２１で設定された相設定信号Ｐsetに基づいて６０度位相をずらした相制御信号ＣＬＫoutをＣＬＫout出力端子からコンバータ装置２のＣＬＫin入力端子に供給する。そして、この相制御信号ＣＬＫoutがコンバータ装置２のコンバータ制御ＩＣ１６にクロック信号ＣＬＫ0として供給される。  
スイッチ素子Ｑ21A、Ｑ21Bのオン、オフ動作によってコンバータ装置２のインダクタＬ21に流れる電流は(n)に示すようになり、スイッチ素子Ｑ22A、Ｑ22Bのオン、オフ動作によってコンバータ装置２のインダクタＬ22に流れる電流は(o)に示すようになる。
【００３０】
コンバータ装置２のコンバータ制御ＩＣ１６は、クロック信号発生回路１８からのクロック信号ＣＬＫsetに対し、相設定手段２１で設定された相設定信号Ｐsetに基づいて６０度位相をずらした相制御信号ＣＬＫoutをＣＬＫout出力端子からコンバータ装置３のＣＬＫin入力端子に供給する。そして、この相制御信号ＣＬＫoutがコンバータ装置３のコンバータ制御ＩＣ１６にクロック信号ＣＬＫ0として供給される。  
スイッチ素子Ｑ31A、Ｑ31Bのオン、オフ動作によってコンバータ装置３のインダクタＬ31に流れる電流は(p)に示すようになり、スイッチ素子Ｑ32A、Ｑ32Bのオン、オフ動作によってコンバータ装置３のインダクタＬ32に流れる電流は(ｑ)に示すようになる。  
従って、合成されて負荷ＲＬに流れる出力電流は、(r)に示すようにリップルが減少された直流電流に近い電流波形となる。
【００３１】
このような構成においては、各コンバータ装置１，２，３を並列に接続して６相のマルチフェーズ型ＤＣ／ＤＣコンバータシステムを構築する場合は、マスターコンバータ装置となるコンバータ装置１の出力端子部１０に制御用信号線１３のコネクタ部２２を装着し、スレーブコンバータ装置となるコンバータ装置２の入力端子部８にコネクタ部２３を装着し、また、コンバータ装置２の出力端子部１１に制御用信号線１４の一方のコネクタ部を装着し、スレーブコンバータ装置となるコンバータ装置３の入力端子部９にもう一方のコネクタ部を装着すれば、コンバータ装置２，３の動作選択手段１７が自動的に切り替えられる。すなわち、コンバータ装置２，３の動作選択手段１７はＣＬＫin入力端子、Ｖsetin入力端子、Ｉthin入力端子から入力する信号をコンバータ制御ＩＣ１６に供給するようになる。また、コンバータ装置１の入力端子部７はそのままなのでコンバータ装置１の動作選択手段１７はクロック信号発生回路１８からのクロック信号ＣＬＫset、出力電圧制御信号発生回路１９からの出力電圧制御用信号Ｖset、出力電流制御信号発生回路２０からの出力電流制御信号Ｉthをコンバータ制御ＩＣ１６に供給するようになる。また、各コンバータ装置１，２，３の相設定手段２１は相設定信号Ｐsetが接地電位となるように操作し設定する。
【００３２】
このようにして、６相のマルチフェーズ型ＤＣ／ＤＣコンバータシステムを容易に構築することができる。しかも、制御用信号線１３，１４の接続によってコンバータ装置２，３の動作選択手段１７の切替えが自動的に行われてコンバータ制御ＩＣ１６に供給するクロック信号、出力電圧制御用信号、出力電流制御信号が他のコンバータ装置１，２から入力するように切り替えられる。これにより、クロック信号、出力電圧制御用信号、出力電流制御信号の選択が容易になり、しかもミス無く確実にできる。
【００３３】
また、４相のマルチフェーズ型ＤＣ／ＤＣコンバータシステムを構築するときには、コンバータ装置１とコンバータ装置２を制御用信号線１３で接続し、コンバータ装置１の相設定手段２１からの相設定信号Ｐsetをオープン状態に設定すればよく、出力電流用利用の切り替えや相数の切り替えに容易に対処することができる。なお、２相のマルチフェーズ型ＤＣ／ＤＣコンバータシステムを構築するときには、コンバータ装置１を単体で使用する。
【００３４】
なお、この実施の形態では動作選択手段１７を制御用信号線のコネクタ部の装着によって回動するＶ字部材を使用したスイッチ構成としたがこれに限定するものではなく、プッシュ式のスイッチ構成からなるものであってもよい。すなわち、図１０に示すように、制御用信号線のコネクタ部２６に突出部２６ａを形成し、このコネクタ部２６が装着される入力端子部２７の側部にプッシュ式動作選択手段２８を配置し、コネクタ部２６を入力端子部２７に装着したとき突出部２６ａで動作選択手段２８の押圧部材２８ａを押し込むように構成する。
【００３５】
前記動作選択手段２８は、図１１に示すように、押圧部材２８ａの下面に導電性の第１の接点部材２８１を設け、この第１の接点部材２８１を押圧部材２８ａが押圧されていない状態では導電性の第２の接点部材２８２とは離間し、導電性の第３の接点部材２８３に接触する。そして、押圧部材２８ａが底部に設けたバネ部材２８４のバネ力に抗して下方に押し込まれたとき第１の接点部材２８１が第３の接点部材２８２から離間し、第２の接点部材２８２に接触するようになる。このような構成においても同様の作用効果が得られるものである。
【００３６】
（第２の実施の形態）
この実施の形態は配線部材の変形例について述べる。図１２に示すように、３つのＤＣ／ＤＣコンバータ装置３１，３２，３３によって６フェーズ型ＤＣ／ＤＣコンバータシステムを構成している。前記各コンバータ装置３１，３２，３３は回路構成については前述したコンバータ装置１，２，３と同じ回路構成になっている。前記各コンバータ装置３１，３２，３３は、直流入力電源ＶDCを共通入力電源、負荷ＲＬを共通負荷として、並列に接続されている。
【００３７】
前記各コンバータ装置３１，３２，３３は、筐体の入力電源端子Ｖin(+)、Ｖin(-)及び出力電圧端子Ｖout(+)、Ｖout(-)を配置した側から見て左右両側の上端部中央の一方の側に切欠き形状の入力端子部３４，３５，３６を設け、他方の側に切欠き形状の出力端子部３７，３８，３９を設けている。前記入力端子部３４，３５，３６には入力信号端子としてＣＬＫin入力端子、Ｖsetin入力端子及びＩthin入力端子が配置され、前記出力端子部３７，３８，３９には出力信号端子としてＶset出力端子、Ｉth出力端子及びＣＬＫout出力端子が配置されている。
【００３８】
前記コンバータ装置３１とコンバータ装置３２は出力端子部３７と入力端子部３５を合わせて互いに密着させ、前記コンバータ装置３２とコンバータ装置３３は出力端子部３８と入力端子部３６を合わせて互いに密着させて配置している。そして、出力端子部３７の各出力端子と入力端子部３５の各入力端子を嵌合型配線部材４０によって接続し、出力端子部３８の各出力端子と入力端子部３６の各入力端子を嵌合型配線部材４１によって接続している。なお、コンバータ装置３１の入力端子部３４とコンバータ装置３３の出力端子部３９は未接続状態になっている。
【００３９】
前記各嵌合型配線部材４０，４１は、図１３の(a)に示すように、それぞれ出力端子部３７，３８の各出力端子４２と入力端子部３５，３６の各入力端子４３をそれぞれ嵌合して装着することで接続し、装着後には各コンバータ装置３１，３２，３３の筐体３４の天部面と各嵌合型配線部材４０，４１の天部面が面一になるように構成されている。(b)は前記各嵌合型配線部材４０，４１を上から見たときの内部の配線状態を示す図である。
【００４０】
前記各コンバータ装置３１，３２，３３の入力端子部３５，３６，３７には、プッシュ式のスイッチ構成からなる動作選択手段４４を配置している。この動作選択手段４４の構成は図１１に示した動作選択手段２８の構成と同一である。従って、嵌合型配線部材４０，４１を装着しない状態では第１の接点部材２８１が導電性の第２の接点部材２８２と離間し、導電性の第３の接点部材２８３と接触している。そして、嵌合型配線部材４０，４１を装着することでこの部材に押圧されて第１の接点部材２８１が第３の接点部材２８２から離間し、第２の接点部材２８２に接触するようになる。
【００４１】
このような構成においては、コンバータ装置３１の出力端子部３７とコンバータ装置３２の入力端子部３５との間に嵌合型配線部材４０を装着することで、動作選択手段４４が切替え動作し、コンバータ装置３２は入力端子部３５のＣＬＫin入力端子、Ｖsetin入力端子、Ｉthin入力端子から入力する信号をコンバータ制御ＩＣ１６に供給するようになる。また、コンバータ装置３２の出力端子部３８とコンバータ装置３３の入力端子部３６との間に嵌合型配線部材４１を装着することで、動作選択手段４４が切替え動作し、コンバータ装置３３は入力端子部３６のＣＬＫin入力端子、Ｖsetin入力端子、Ｉthin入力端子から入力する信号をコンバータ制御ＩＣ１６に供給するようになる。  
このように、嵌合型配線部材の装着によって動作選択手段４４が自動的に切り替わるので、この実施の形態においても前述した実施の形態と同様の作用効果が得られるものである。
【００４２】
また、各コンバータ装置３１，３２，３３を密着し、各コンバータ装置の出力端子部と入力端子部を空中線の無い嵌合型配線部材４０，４１を使用して接続するので、全体としてコンパクト化を実現できるとともに空中線の断線による事故は無くなる。さらに、各コンバータ装置３１，３２，３３の筐体３４の天部面と各嵌合型配線部材４０，４１の天部面が面一になるように構成しているので、嵌合型配線部が引っかかって抜けるような事故を防止することができる。
【００４３】
なお、この実施の形態では各コンバータ装置３１，３２，３３の出力端子部３７，３８，３９にプッシュ式のスイッチ構成からなる動作選択手段４４を配置し、嵌合型配線部材の装着によって動作選択手段を切替えるようにしたがこれに限定するものではない。例えば、図１４に示すように、各コンバータ装置３１，３２，３３の入力端子部３５，３６，３７を配置した側の筐体３４の側面に動作選択手段を構成するスイッチの可動部４５をバネ力で突出させ、他のコンバータ装置に密着させることでこの可動部４５を押圧して内部の動作選択手段を切替える構成であってもよい。
【００４４】
（第３の実施の形態）
この実施の形態は、動作選択手段の変形例について述べる。動作選択手段、入力端子部、制御信号線を除けば前述した第１の実施の形態と外観構成も回路構成も同じである。すなわち、外観構成は制御信号線を除けば図２の構成になっており、回路構成は動作選択手段を除けば図３に示す構成になっている。
【００４５】
コンバータ装置１からコンバータ装置２へ出力電圧制御信号Ｖset1、出力電流制御信号Ｉth1、相制御信号ＣＬＫout1を供給する制御用信号線及びコンバータ装置２からコンバータ装置３へ出力電圧制御信号Ｖset2、出力電流制御信号Ｉth2、相制御信号ＣＬＫout2を供給する制御用信号線は図１５に示す構成になっている。すなわち、自己のコンバータ装置の出力端子部にあるＣＬＫout出力端子、Ｖset出力端子、Ｉth出力端子に接続するコネクタ部５１と、他のコンバータ装置の入力端子部にあるＣＬＫin入力端子、Ｖsetin入力端子、Ｉthin入力端子、後述する動作選択手段の端子Ｔ1、端子Ｔ2に接続したＴ1入力端子、Ｔ2入力端子に接続するコネクタ部５２と、各コネクタ部５１，５２間を接続する３本の空中線５３ａ，５３ｂ，５３ｃと、Ｔ1入力端子とＴ2入力端子を短絡する短絡線５３ｄからなる。
【００４６】
動作選択手段５５は、図１６に示すように、＋Ｖcc端子に前記端子Ｔ1を接続し、前記端子Ｔ2をリレー回路５６のコイル５７を介して接地している。前記リレー回路５６は、コイル５７の励磁によって動作する３つの切替えスイッチ５８，５９，６０を設けている。前記第１の切替えスイッチ５８は、常閉接点５８ａをクロック信号発生回路１８に接続し、常開接点５８ｂをＣＬＫin入力端子に接続し、そして、コモン接点５８ｃから第１のクロック信号ＣＬＫ0を取り出すようにしている。前記第２の切替えスイッチ５９は、常閉接点５９ａを出力電圧制御信号発生回路１９に接続し、常開接点５９ｂをＶsetin入力端子に接続し、そして、コモン接点５９ｃから出力電圧制御用信号Ｖset0を取り出すようにしている。前記第３の切替えスイッチ６０は、常閉接点６０ａを出力電流制御信号発生回路２０に接続し、常開接点６０ｂをＩthin入力端子に接続し、そして、コモン接点６０ｃから出力電流制御用信号Ｉth0を取り出すようにしている。
【００４７】
このような構成においては、コンバータ装置１あるいはコンバータ装置２、３を単体又はマスターコンバータ装置として動作させる場合には、図１５に示す構成の制御用信号線のコネクタ部５２は入力端子部には装着されないので、動作選択手段５５の端子Ｔ1と端子Ｔ2は開放状態になっている。
【００４８】
この状態では動作選択手段５５のリレー回路５６は動作しないので、動作選択手段５５は、クロック信号発生回路１８からのクロック信号ＣＬＫsetを第１のクロック信号ＣＬＫ0としてコンバータ制御ＩＣ１６に供給する。また、出力電圧制御信号発生回路１９からの出力電圧制御用信号Ｖsetを出力電圧制御用信号Ｖset0としてコンバータ制御ＩＣ１６に供給する。また、出力電流制御信号発生回路２０からの出力電流制御信号Ｉthを出力電流制御用信号Ｉth0としてコンバータ制御ＩＣ１６に供給する。こうして、コンバータ装置１あるいはコンバータ装置２、３は単体又はマスターコンバータ装置として動作することになる。
【００４９】
また、コンバータ装置を複数台使用しマルチフェーズ型ＤＣ／ＤＣコンバータシステムとして動作させる場合、スレーブコンバータ装置として動作させるコンバータ装置の入力端子部には制御用信号線のコネクタ部５２が必ず装着されるため、動作選択手段５５の端子Ｔ1と端子Ｔ2は短絡線５３ｄにより短絡される。従って、リレー回路５６が動作し、各切替えスイッチ５８，５９，６０は常開接点をオンするように切り替わる。
【００５０】
これにより、動作選択手段５５は、ＣＬＫin入力端子からのクロック信号ＣＬＫinを第１のクロック信号ＣＬＫ0としてコンバータ制御ＩＣ１６に供給する。また、Ｖsetin入力端子からの出力電圧制御用信号Ｖsetinを出力電圧制御用信号Ｖset0としてコンバータ制御ＩＣ１６に供給する。また、Ｉthin入力端子からの出力電流制御信号Ｉthinを出力電流制御用信号Ｉth0としてコンバータ制御ＩＣ１６に供給する。こうして、コンバータ装置はスレーブコンバータ装置として動作することになる。
【００５１】
このような構成においても、各コンバータ装置の相設定手段の設定が必要であるが、出力電流容量や相数に応じて必要な台数のコンバータ装置を、制御用信号線を使用して接続すればよく、出力電流容量を変更したい場合や相数を変更したい場合に容易に対応できる。また、動作選択手段５５における信号選択を制御用信号線の装着、未装着により自動的に行うようにしているので、動作選択手段における信号選択が容易かつ確実にできる。  
なお、この実施の形態では動作選択手段を励磁コイルを使用したリレー回路で構成したがこれに限定するものではなく、アナログスイッチやソリッドステートリレー、スリーステートバッファなどで構成してもよい。
【００５２】
（第４の実施の形態）
この実施の形態は相設定手段の変形例について述べる。なお、動作選択手段の構成は前述した第３の実施の形態と同一である。従って、相設定手段、動作選択手段、入力端子部、出力端子部、制御信号線を除けば前述した第１の実施の形態と外観構成も回路構成も同じである。すなわち、外観構成は制御信号線を除けば図２の構成になっており、回路構成は動作選択手段を除けば図３に示す構成になっている。
【００５３】
例えば、コンバータ装置１とコンバータ装置２を接続して４フェーズ型ＤＣ／ＤＣコンバータシステムを構築する場合に使用する制御用信号線は、図１７に示す構成になっている。すなわち、コンバータ装置１の出力端子部にあるＣＬＫout出力端子、Ｖset出力端子、Ｉth出力端子、後述する相設定手段の端子Ｔ3、Ｔ4に接続したＴ3出力端子、Ｔ4出力端子に接続するコネクタ部６１と、コンバータ装置２の入力端子部にあるＣＬＫin入力端子、Ｖsetin入力端子、Ｉthin入力端子、動作選択手段５５の端子Ｔ1、端子Ｔ2に接続したＴ1入力端子、Ｔ2入力端子に接続するコネクタ部５２と、各コネクタ部６１，５２間を接続する３本の空中線５３ａ，５３ｂ，５３ｃと、Ｔ1入力端子とＴ2入力端子を短絡する短絡線５３ｄと、Ｔ3出力端子とＴ4出力端子を短絡する短絡線５３ｅとからなる。
【００５４】
また、コンバータ装置１とコンバータ装置２とコンバータ装置３を接続して６フェーズ型ＤＣ／ＤＣコンバータシステムを構築する場合に使用する２本の制御用信号線は、図１８に示す構成になっている。すなわち、コネクタ部６１においてＴ3出力端子とＴ4出力端子を短絡せずに開放状態にしている。
【００５５】
各コンバータ装置１，２，３の相設定手段６２は、図１９に示すように、＋Ｖcc端子に前記端子Ｔ3を接続し、前記端子Ｔ4をリレー回路６３のコイル６４を介して接地している。前記リレー回路６３は、コイル６４の励磁によって開閉動作する開閉スイッチ６５を設けている。前記開閉スイッチ６５は一端を接地し、他端から相設定信号Ｐsetを取り出すようにしている。
【００５６】
このような構成においては、相設定手段６２の端子Ｔ3と端子Ｔ4が開放状態の場合には、リレー回路６３が動作しないので、この場合には相設定信号Psetとして接地（ＧＮＤ）電位の相設定信号が出力される。また、端子Ｔ3と端子Ｔ4が短絡状態の場合には、リレー回路６３が動作するので、この場合には相設定信号Psetとして開放電位の相設定信号が出力される。
【００５７】
このような相設定手段６２を使用したコンバータ装置において、例えば、コンバータ装置１を単体で２フェーズ動作させる場合には、出力端子部には制御用信号線が装着されないので、相設定手段６２の端子Ｔ3と端子Ｔ4は開放状態であり、コンバータ制御ＩＣ１６には相設定信号Psetとして接地電位が選択されて与えられる。これは、表１に示すように、コンバータ装置１が２フェーズ動作するための設定になっていることを示している。
【００５８】
次に、コンバータ装置を２台使用して４フェーズ動作させる場合について述べる。例えば、コンバータ装置１をマスターコンバータ装置として使用し、コンバータ装置２をスレーブコンバータ装置として使用した場合、コンバータ装置１の出力端子部とコンバータ装置２の入力端子部を図１７に示す制御信号線によって接続する。
【００５９】
コンバータ装置１では相設定手段６２の端子Ｔ3と端子Ｔ4が短絡されるのでリレー回路６３が動作し開放電位の相設定信号Ｐsetがコンバータ制御ＩＣ１６に供給される。また、コンバータ装置２では出力端子部に制御用信号線が装着されないので、相設定手段６２の端子Ｔ3と端子Ｔ4は開放状態にあり、接地電位の相設定信号Ｐsetがコンバータ制御ＩＣ１６に供給される。これは、表１に示すように、コンバータ装置１とコンバータ装置２とで４フェーズ動作するための設定になっていることを示している。
【００６０】
また、コンバータ装置２では、入力端子部に制御用信号線のコネクタ部５２が装着されるため、動作選択手段５５の端子Ｔ1と端子Ｔ2は短絡線５３ｄにより短絡される。従って、リレー回路５６が動作し、各切替えスイッチ５８，５９，６０は常開接点をオンするように切り替わる。これにより、動作選択手段５５は、ＣＬＫin入力端子からのクロック信号ＣＬＫinを第１のクロック信号ＣＬＫ0としてコンバータ制御ＩＣ１６に供給する。また、Ｖsetin入力端子からの出力電圧制御用信号Ｖsetinを出力電圧制御用信号Ｖset0としてコンバータ制御ＩＣ１６に供給する。また、Ｉthin入力端子からの出力電流制御信号Ｉthinを出力電流制御用信号Ｉth0としてコンバータ制御ＩＣ１６に供給する。こうして、コンバータ装置２はスレーブコンバータ装置として動作することになる。
【００６１】
次に、コンバータ装置を３台使用して６フェーズ動作させる場合について述べる。例えば、コンバータ装置１をマスターコンバータ装置として使用し、コンバータ装置２、３をスレーブコンバータ装置として使用した場合、コンバータ装置１の出力端子部とコンバータ装置２の入力端子部、コンバータ装置２の出力端子部とコンバータ装置３の入力端子部をそれぞれ図１８に示す制御信号線によって接続する。
【００６２】
これにより、各コンバータ装置１，２，３の相設定手段６２の端子Ｔ3と端子Ｔ4は開放状態になり、それぞれ接地電位の相設定信号Ｐsetがコンバータ制御ＩＣ１６に供給される。これは、表１に示すように、コンバータ装置１、コンバータ装置２、コンバータ装置３で６フェーズ動作するための設定になっていることを示している。
【００６３】
また、コンバータ装置２、３では、入力端子部に制御用信号線のコネクタ部５２が装着されるため、動作選択手段５５の端子Ｔ1と端子Ｔ2は短絡線５３ｄにより短絡される。従って、リレー回路５６が動作し、各切替えスイッチ５８，５９，６０は常開接点をオンするように切り替わる。これにより、動作選択手段５５は、ＣＬＫin入力端子からのクロック信号ＣＬＫinを第１のクロック信号ＣＬＫ0としてコンバータ制御ＩＣ１６に供給する。また、Ｖsetin入力端子からの出力電圧制御用信号Ｖsetinを出力電圧制御用信号Ｖset0としてコンバータ制御ＩＣ１６に供給する。また、Ｉthin入力端子からの出力電流制御信号Ｉthinを出力電流制御用信号Ｉth0としてコンバータ制御ＩＣ１６に供給する。こうして、コンバータ装置２、３はスレーブコンバータ装置として動作することになる。
【００６４】
このような構成においては、コンバータ装置の出力端子部に制御用信号線のコネクタ部６１を装着させることで相設定手段６２の相設定信号が２フェーズ動作、４フェーズ動作、６フェーズ動作に自動的に設定される。また、コンバータ装置の入力端子部に制御用信号線のコネクタ部５２を装着させることで動作選択手段５５がスレーブコンバータ装置として動作する状態に自動的に切替えられる。
【００６５】
従って、出力電流容量や相数に応じて必要な台数のコンバータ装置を、制御用信号線を使用して接続すればよく、出力電流容量を変更したい場合や相数を変更したい場合に容易に対応できる。しかも、相設定手段における相設定及び動作選択手段における信号選択が容易かつ確実にできる。  
なお、この実施の形態では、４フェーズ動作、６フェーズ動作する場合に複数のコンバータ装置を、制御用信号線を使用して接続したがこれに限定するものではない。すなわち、図１２の場合と同様に、複数のコンバータ装置３１，３２，３３を、制御用信号線に代えて嵌合型配線部材を使用して接続してもよい。この場合、各コンバータ装置は互いに密着して配置されることになる。
【００６６】
この場合において、コンバータ装置３１とコンバータ装置３２を接続して４フェーズ型ＤＣ／ＤＣコンバータシステムを構築する場合に使用する嵌合型配線部材６６は、図２０に示す構成になっている。すなわち、前記嵌合型配線部材６６は、コンバータ装置３１の出力端子部３７にあるＣＬＫout出力端子、Ｖset出力端子、Ｉth出力端子、Ｔ3出力端子、Ｔ4出力端子と、コンバータ装置３２の入力端子部３５にあるＣＬＫin入力端子、Ｖsetin入力端子、Ｉthin入力端子、Ｔ1入力端子、Ｔ2入力端子に配線部６７の各端子を嵌合することで接続する。前記嵌合型配線部材６６の配線部６７は、Ｔ3出力端子とＴ4出力端子を短絡する配線と、Ｔ1入力端子とＴ2入力端子を短絡する配線と、ＣＬＫout出力端子とＣＬＫin入力端子を接続する配線と、Ｖset出力端子とＶsetin入力端子を接続する配線と、Ｉth出力端子とＩthin入力端子を接続する配線によって構成されている。
【００６７】
また、コンバータ装置３１とコンバータ装置３２とコンバータ装置３３を接続して６フェーズ型ＤＣ／ＤＣコンバータシステムを構築する場合に使用する嵌合型配線部材６８は、図２１に示す構成になっている。すなわち、前記嵌合型配線部材６８は、コンバータ装置３１又は３２の出力端子部３７又は３８にあるＣＬＫout出力端子、Ｖset出力端子、Ｉth出力端子、Ｔ3出力端子、Ｔ4出力端子と、コンバータ装置３２又は３３の入力端子部３５又は３６にあるＣＬＫin入力端子、Ｖsetin入力端子、Ｉthin入力端子、Ｔ1入力端子、Ｔ2入力端子に配線部６９の各端子を嵌合することで接続する。前記嵌合型配線部材６８の配線部６９は、Ｔ1入力端子とＴ2入力端子を短絡する配線と、ＣＬＫout出力端子とＣＬＫin入力端子を接続する配線と、Ｖset出力端子とＶsetin入力端子を接続する配線と、Ｉth出力端子とＩthin入力端子を接続する配線によって構成されている。
【００６８】
この構成においては、４フェーズ型ＤＣ／ＤＣコンバータシステムを構築する場合は、コンバータ装置３１と３２を密着して配置し、コンバータ装置３１の出力端子部３７とコンバータ装置３２の入力端子部３５を、嵌合型配線部材６６を嵌合装着させることで実現できる。また、６フェーズ型ＤＣ／ＤＣコンバータシステムを構築する場合は、コンバータ装置３１と３２と３３を密着して配置し、コンバータ装置３１の出力端子部３７とコンバータ装置３２の入力端子部３５、及びコンバータ装置３２の出力端子部３８とコンバータ装置３３の入力端子部３６を、嵌合型配線部材６８を嵌合装着させることで実現できる。
【００６９】
（第５の実施の形態）
なお、前述した実施の形態と同一の部分には同一の符号を付し、詳細な説明は省略する。この実施の形態の複数のコンバータ装置を接続した状態の外観構成は図１２と同じある。すなわち、各コンバータ装置間の接続は制御用信号線ではなく嵌合型配線部材を使用している。
【００７０】
この実施の形態の回路構成は、図２２に示すように、動作選択手段７１、相設定手段７２及びコンバータ装置の接続数を判別する接続判別手段７３を設けている。そして、前記動作選択手段７１にＴ1入力端子とＴ2入力端子を接続し、前記接続判別手段７３にＴ11出力端子、Ｔ12出力端子、Ｔ13出力端子、Ｔ14出力端子を接続している。そして、前記Ｔ11出力端子、Ｔ12出力端子を自己のＴ5入力端子、Ｔ6入力端子に接続している。
【００７１】
図２３はコンバータ装置３１の入力端子部３４、出力端子部３７、コンバータ装置３２の入力端子部３５の端子構成と、前記出力端子部３７の各端子と前記入力端子部３５の各端子を接続する嵌合型配線部材７０の構成を示し、入力端子部３４，３５にはＴ1、Ｔ2、Ｔ5、Ｔ6の各入力端子と、Ｉthin入力端子、Ｖsetin入力端子、ＣＬＫin入力端子が配置され、出力端子部３７にはＴ11、Ｔ12、Ｔ13、Ｔ14の各出力端子と、Ｉth出力端子、Ｖset出力端子、ＣＬＫout出力端子が配置されている。なお、この構成はコンバータ装置３３の入力端子部３６、コンバータ装置３２，３３の出力端子部３８，３９においても同じである。
【００７２】
前記嵌合型配線部材７０は、コンバータ装置３１の出力端子部３７にあるＣＬＫout出力端子、Ｖset出力端子、Ｉth出力端子、Ｔ11、Ｔ12、Ｔ13、Ｔ14の各出力端子と、コンバータ装置３２の入力端子部３５にあるＣＬＫin入力端子、Ｖsetin入力端子、Ｉthin入力端子、Ｔ1、Ｔ2、Ｔ5、Ｔ6の各入力端子に配線部８０の各端子を嵌合することで接続する。前記嵌合型配線部材７０の配線部は、Ｔ14出力端子とＴ6入力端子を接続する配線と、Ｔ13出力端子とＴ5入力端子を接続する配線と、Ｔ12出力端子とＴ2入力端子を接続する配線と、Ｔ11出力端子とＴ1入力端子を接続する配線と、Ｔ12、Ｔ11を短絡するとともにＴ2、Ｔ1を短絡する配線と、ＣＬＫout出力端子とＣＬＫin入力端子を接続する配線と、Ｖset出力端子とＶsetin入力端子を接続する配線と、Ｉth出力端子とＩthin入力端子を接続する配線によって構成されている。
【００７３】
なお、ここではコンバータ装置３１の出力端子部３７とコンバータ装置３２の入力端子部３５を接続する嵌合型配線部材７０の構成について述べたが、コンバータ装置３２の出力端子部３８とコンバータ装置３３の入力端子部３６を接続する嵌合型配線部材の構成も前記嵌合型配線部材７０と同様である。従って、３つのコンバータ装置３１，３２，３３で６フェーズ型ＤＣ／ＤＣコンバータシステムを構築する場合は、同じ嵌合型配線部材７０を２個用意すればよい。
【００７４】
前記動作選択手段７１は、図２４に示すように、＋Ｖcc端子に前記端子Ｔ1を接続し、前記端子Ｔ2をリレー回路７４のコイル７５を介して接地している。前記リレー回路７４は、コイル７５の励磁によって動作する４つの切替えスイッチ７６，７７，７８，７９を設けている。
【００７５】
前記第１の切替えスイッチ７６は、常閉接点７６ａをクロック信号発生回路１８に接続し、常開接点７６ｂをＣＬＫin入力端子に接続し、そして、コモン接点７６ｃから第１のクロック信号ＣＬＫ0を取り出すようにしている。前記第２の切替えスイッチ７７は、常閉接点７７ａを出力電圧制御信号発生回路１９に接続し、常開接点７７ｂをＶsetin入力端子に接続し、そして、コモン接点７７ｃから出力電圧制御用信号Ｖset0を取り出すようにしている。
【００７６】
前記第３の切替えスイッチ７８は、常閉接点７８ａを出力電流制御信号発生回路２０に接続し、常開接点７８ｂをＩthin入力端子に接続し、そして、コモン接点７８ｃから出力電流制御用信号Ｉth0を取り出すようにしている。前記第４の切替えスイッチ７９は、常閉接点７９ａを接地（ＧＮＤ）電位に接続し、常開接点７９ｂを＋Ｖcc電圧端子に接続し、そして、コモン接点７９ｃから動作選択信号Ｍodeを取り出すようにしている。前記動作選択手段７１は動作選択信号Ｍodeを前記接続判別手段７３に供給するようにしている。
【００７７】
前記接続判別手段７３及び相設定手段７２は図２５に示す構成になっている。すなわち、接続判別手段７３は、２つの反転入力端子と１つの非反転入力端子を有する３入力アンド回路８０を設け、前記動作選択手段７１からの動作選択信号Ｍodeを前記アンド回路８０の１つの反転入力端子に入力している。前記Ｔ11出力端子に接続する端子Ｔ11とＴ13出力端子に接続する端子Ｔ13を接地電位に接続し、前記Ｔ12出力端子に接続する端子Ｔ12を前記アンド回路８０のもう１つの＋Ｖccでプルアップされた反転入力端子に接続し、前記Ｔ14出力端子に接続する端子Ｔ14を前記アンド回路８０の＋Ｖccでプルアップされた非反転入力端子に接続している。
【００７８】
前記相設定手段７２はリレー回路８１とＭＯＳ型の電界効果トランジスタ８２を設け、前記リレー回路８１のコイル８３を、前記電界効果トランジスタ８２を介して＋Ｖcc電源に接続している。そして、前記接続判別手段７３のアンド回路８０からの接続判別信号ＣＯＮを前記電界効果トランジスタ８２のゲートに供給している。前記相設定手段７２はリレー回路８１の常閉接点８４の一端を接地電位に接続し、他端から相設定信号Ｐsetを取り出すようにしている。
【００７９】
このような構成において、コンバータ装置３１を単体で動作させる場合、すなわち、２フェーズ型ＤＣ／ＤＣコンバータとして動作させる場合は、嵌合型配線部材７０は装着されないので、Ｔ1入力端子とＴ2入力端子は開放状態にある。従って、動作選択手段７１ではリレー回路７４は動作しない。これにより、動作選択手段７１は、クロック信号発生回路１８からのクロック信号ＣＬＫsetを第１のクロック信号ＣＬＫ0としてコンバータ制御ＩＣ１６に供給する。また、出力電圧制御信号発生回路１９からの出力電圧制御用信号Ｖsetを出力電圧制御用信号Ｖset0としてコンバータ制御ＩＣ１６に供給する。また、出力電流制御信号発生回路２０からの出力電流制御信号Ｉthを出力電流制御用信号Ｉth0としてコンバータ制御ＩＣ１６に供給する。さらに、接地電位の動作選択信号Ｍodeを接続判別手段７３に供給する。
【００８０】
また、接続判別手段７３においては、Ｔ11端子とＴ12端子、Ｔ13とＴ14が開放状態にある。従って、Ｔ12端子が接続した反転入力端子への入力がハイレベルとなり、アンド回路８０から出力する接続判別信号ＣＯＮがローレベルとなる。従って、相設定手段７２のリレー回路８１は動作しない。これにより、相設定手段７２からコンバータ制御ＩＣ１６に供給される相設定信号Ｐsetは接地電位となる。これは、コンバータ装置３１が単体で２フェーズ動作するための設定になっていることを示している。なお、コンバータ装置３２及び３３を単体で動作させる場合も同様である。
【００８１】
また、コンバータ装置３１とコンバータ装置３２を使用して４フェーズ型ＤＣ／ＤＣコンバータとして動作させる場合は、コンバータ装置３１の出力端子部３７とコンバータ装置３２の入力端子部３５に嵌合型配線部材７０が嵌合装着される。これにより、コンバータ装置３２のＴ1端子とＴ2端子は短絡される。また、コンバータ装置３１のＴ1端子とＴ2端子は開放状態となる。
【００８２】
これにより、コンバータ装置３１の動作選択手段７１は単体のときと同じ動作を行い、コンバータ装置３２の動作選択手段７１はリレー回路７４が動作する。こうして、コンバータ装置３２の動作選択手段７１からは、ＣＬＫin入力端子からのクロック信号ＣＬＫinが第１のクロック信号ＣＬＫ0として出力され、Ｖsetin入力端子からの出力電圧制御用信号Ｖsetinが出力電圧制御用信号Ｖset0として出力され、Ｉthin入力端子からの出力電流制御信号Ｉthinが出力電流制御用信号Ｉth0として出力される。また、＋Ｖcc電圧の動作選択信号Ｍodeが出力される。
【００８３】
また、コンバータ装置３１においては出力端子部３７のＴ11端子とＴ12端子が短絡されるので、接続判別手段７３のアンド回路８０から出力する接続判別信号ＣＯＮがハイレベルになる。これにより、相設定手段７２のリレー回路８１が動作し、相設定手段７２からコンバータ制御ＩＣ１６に供給される相設定信号Ｐsetは開放電位となる。一方、コンバータ装置３２においては＋Ｖcc電圧の動作選択信号Ｍodeが接続判別手段７３のアンド回路８０に供給されるので、アンド回路８０から出力する接続判別信号ＣＯＮはローレベルである。従って、相設定手段７２からコンバータ制御ＩＣ１６に供給される相設定信号Ｐsetは接地電位となる。
【００８４】
このように、コンバータ装置３１では開放電位の相設定信号Ｐsetがコンバータ制御ＩＣ１６に供給され、コンバータ装置３２では接地電位の相設定信号Ｐsetがコンバータ制御ＩＣ１６に供給されることで、コンバータ装置３１がマスターコンバータ装置として動作し、コンバータ装置３２がスレーブコンバータ装置として動作して４フェーズ動作を行うことになる。
【００８５】
また、コンバータ装置３１とコンバータ装置３２とコンバータ装置３３を使用して６フェーズ型ＤＣ／ＤＣコンバータとして動作させる場合は、コンバータ装置３１の出力端子部３７とコンバータ装置３２の入力端子部３５に嵌合型配線部材７０を嵌合装着するとともに、コンバータ装置３２の出力端子部３８とコンバータ装置３３の入力端子部３６にも同じ構成の嵌合型配線部材７０を嵌合装着する。これにより、コンバータ装置３２、３３のＴ1端子とＴ2端子は短絡される。また、コンバータ装置３１のＴ1端子とＴ2端子は開放状態となる。
【００８６】
これにより、コンバータ装置３１の動作選択手段７１は単体のときと同じ動作を行い、コンバータ装置３２、３３の動作選択手段７１はリレー回路７４が動作する。こうして、コンバータ装置３２、３３の動作選択手段７１からは、ＣＬＫin入力端子からのクロック信号ＣＬＫinが第１のクロック信号ＣＬＫ0として出力され、Ｖsetin入力端子からの出力電圧制御用信号Ｖsetinが出力電圧制御用信号Ｖset0として出力され、Ｉthin入力端子からの出力電流制御信号Ｉthinが出力電流制御用信号Ｉth0として出力される。また、＋Ｖcc電圧の動作選択信号Ｍodeが出力される。
【００８７】
また、コンバータ装置３１においては、出力端子部３７のＴ11端子とＴ12端子が短絡され、Ｔ13端子とＴ14端子も短絡されるので、接続判別手段７３のアンド回路８０から出力する接続判別信号ＣＯＮはローレベルとなり、相設定手段７２からコンバータ制御ＩＣ１６に供給される相設定信号Ｐsetは接地電位となる。また、コンバータ装置３２においては出力端子部３８のＴ11端子とＴ12端子が短絡され、Ｔ13端子とＴ14端子が開放されるが、動作選択信号Ｍodeがハイレベルとなっているので、接続判別手段７３のアンド回路８０から出力する接続判別信号ＣＯＮはローレベルとなり、相設定手段７２からコンバータ制御ＩＣ１６に供給される相設定信号Ｐsetは接地電位となる。また、コンバータ装置３３においては出力端子部３９のＴ11端子とＴ12端子が開放され、Ｔ13端子とＴ14端子も開放されているので、接続判別手段７３のアンド回路８０から出力する接続判別信号ＣＯＮはローレベルとなり、相設定手段７２からコンバータ制御ＩＣ１６に供給される相設定信号Ｐsetは接地電位となる。
【００８８】
このように、コンバータ装置３１では接地電位の相設定信号Ｐsetがコンバータ制御ＩＣ１６に供給され、コンバータ装置３２では接地電位の相設定信号Ｐsetがコンバータ制御ＩＣ１６に供給され、コンバータ装置３３では接地電位の相設定信号Ｐsetがコンバータ制御ＩＣ１６に供給されることで、コンバータ装置３１がマスターコンバータ装置として動作し、コンバータ装置３２、３３がスレーブコンバータ装置として動作して６フェーズ動作を行うことになる。
【００８９】
以上の動作における相数、接続位置、Ｔ1端子とＴ2端子の接続状態、動作選択信号Ｍodeのレベル状態、Ｔ11端子とＴ12端子及びＴ5端子とＴ6端子の接続状態、Ｔ13端子とＴ14端子の接続状態及び相設定信号Ｐsetのレベル状態の関係を表で示すと表２に示すようになる。
【表２】
2006280092.tif 000004
【００９０】
このようにコンバータ装置を３個使用して６フェーズ型ＤＣ／ＤＣコンバータシステムを構築する場合に、各コンバータ装置間を接続する嵌合型配線部材を２個使用することになるが、同じ構成の嵌合型配線部材を２個使用することができ、嵌合型配線部材の規格化を図ることができる。
【００９１】
この実施の形態においても出力電流容量や相数に応じて必要な台数のコンバータ装置を、嵌合型配線部材を使用して接続すればよく、出力電流容量を変更したい場合や相数を変更したい場合に容易に対応できる。しかも、相設定手段における相設定及び動作選択手段における信号選択を嵌合型配線部材の接続によって自動的に行うことで、相設定及び信号選択が容易かつ確実にできる。なお、各コンバータ装置３１，３２，３３は同一回路構成なので、コンバータ装置の順番を入れ替えても問題は無い。
【００９２】
（第６の実施の形態）
この実施の形態は各コンバータ装置の入出力端子部が配線部材の機能も持つ構成とし、他のコンバータ装置が接続しているか未接続であるかにより動作選択手段及び相設定手段の動作が切替わる点に特徴がある。なお、前述した実施の形態と同一の部分には同一の符号を付し詳細な説明は省略する。
【００９３】
図２６に示すように、６フェーズ型ＤＣ／ＤＣコンバータシステムを構成する場合は、３つのＤＣ／ＤＣコンバータ装置９１，９２，９３を接続する。前記各コンバータ装置９１，９２，９３は、直流入力電源ＶDCを共通入力電源、負荷ＲＬを共通負荷として、並列に接続されている。前記各コンバータ装置９１，９２，９３は、筐体９４の入力電源端子Ｖin(+)、Ｖin(-)及び出力電圧端子Ｖout(+)、Ｖout(-)を配置した側から見て左右両側の上端部中央の一方の側に凸形状の入力端子部９４，９５，９６を設け、他方の側に前記入力端子部９４，９５，９６が嵌合する切欠き形状の出力端子部９７，９８，９９を設けている。
【００９４】
図２７は回路構成を示す図で、基本的には前述した図２２の回路構成と同じで、異なる点は外部信号端子として短絡した１対の動作設定端子Ｔ7，Ｔ8と短絡した１対の接続設定端子Ｔ9，Ｔ10を新たに設けた点である。
【００９５】
図２８に示すように、前記ＤＣ／ＤＣコンバータ装置９１，９２の入力端子部９４，９５には、ＣＬＫin入力端子、Ｖsetin入力端子、Ｉthin入力端子、Ｔ1入力端子、Ｔ2入力端子、Ｔ6入力端子、Ｔ5入力端子を配置するとともに１対の接続設定端子Ｔ10，Ｔ9を配置している。なお、ＤＣ／ＤＣコンバータ装置９３の入力端子部９６については図示していないが構成は同じである。また、前記ＤＣ／ＤＣコンバータ装置９１の出力端子部９７には、ＣＬＫout出力端子、Ｖset出力端子、Ｉth出力端子、１対の動作設定端子Ｔ7，Ｔ8、Ｔ14出力端子、Ｔ13出力端子、Ｔ12出力端子、Ｔ11出力端子を配置している。なお、ＤＣ／ＤＣコンバータ装置９２，９３の出力端子部９８，９９については図示していないが構成は同じである。
【００９６】
コンバータ装置９１とコンバータ装置９２は、コンバータ装置９１の出力端子部９７にコンバータ装置９２の凸形状の入力端子部９５を上から嵌合させることで図２８に示すように各端子を電気的に接続する。同様に、コンバータ装置９２の出力端子部９８にコンバータ装置９３の凸形状の入力端子部９６を上から嵌合させることで各端子を電気的に接続する。すなわち、端子Ｔ11は接続設定端子Ｔ9に、端子Ｔ12は接続設定端子Ｔ10に、端子Ｔ13は端子Ｔ5に、端子Ｔ14は端子Ｔ6に、動作設定端子Ｔ7，Ｔ8はそれぞれ端子Ｔ1，Ｔ2に接続される。また、Ｉth出力端子はＩthin入力端子に、Ｖset出力端子はＶsetin入力端子に、ＣＬＫout出力端子はＣＬＫin入力端子に接続される。そして、前記コンバータ装置９１の天部とコンバータ装置９２の天部とコンバータ装置９３の天部は面一になるように設定されている。
【００９７】
前記１対の動作設定端子Ｔ7とＴ8及び１対の接続設定端子Ｔ9とＴ10はコンバータ装置９１の内部で同電位となるように短絡されている。これはコンバータ装置９２，９３においても同様である。
【００９８】
このような構成において、コンバータ装置９１を単体で動作させる場合、出力端子部９７にコンバータ装置９２の入力端子部９５が嵌合されることはないので、端子Ｔ1と端子Ｔ2は開放状態にある。従って、動作選択手段７１はクロック信号発生回路１８からのクロック信号ＣＬＫsetを第１のクロック信号ＣＬＫ0としてコンバータ制御ＩＣ１６に供給する。また、出力電圧制御信号発生回路１９からの出力電圧制御用信号Ｖsetを出力電圧制御用信号Ｖset0としてコンバータ制御ＩＣ１６に供給する。また、出力電流制御信号発生回路２０からの出力電流制御信号Ｉthを出力電流制御用信号Ｉth0としてコンバータ制御ＩＣ１６に供給する。さらに、接地電位の動作選択信号Ｍodeを接続判別手段７３に供給する。
【００９９】
また、端子Ｔ11と端子Ｔ12も開放状態にある。従って、接続判別手段７３ではアンド回路８０から出力する接続判別信号ＣＯＮがローレベルとなり、相設定手段７２のリレー回路８１は動作しない。これにより、相設定手段７２からコンバータ制御ＩＣ１６に供給される相設定信号Ｐsetは接地電位となる。これは、コンバータ装置９１が単体で２フェーズ動作するための設定になっていることを示している。なお、コンバータ装置９２及び９３を単体で動作させる場合も同様である。
【０１００】
また、コンバータ装置９１とコンバータ装置９２を使用して４フェーズ型コンバータとして動作させる場合は、コンバータ装置９１の出力端子部９７にコンバータ装置９２の凸形状の入力端子部９５が嵌合される。この場合、コンバータ装置９１の端子Ｔ1と端子Ｔ2は開放状態、コンバータ装置９２の端子Ｔ1と端子Ｔ2はコンバータ装置９１の動作設定端子Ｔ7と動作設定端子Ｔ8が短絡していることから短絡状態になる。すなわち、コンバータ装置９１においては、クロック信号ＣＬＫ0として信号ＣＬＫset、出力電圧制御用信号Ｖset0として信号Ｖset、出力電流制御信号Ｉth0として信号Ｉthが選択され、動作選択手段７１からの動作選択信号Ｍodeとして接地電位が設定される。また、コンバータ装置９２においては、クロック信号ＣＬＫ0として信号ＣＬＫin、出力電圧制御用信号Ｖset0として信号Ｖsetin、出力電流制御信号Ｉth0として信号Ｉthinが選択され、動作選択手段７１からの動作選択信号Ｍodeとして＋Ｖcc電位が設定される。
【０１０１】
また、コンバータ装置９１において端子Ｔ11とＴ12は接続設定端子Ｔ9とＴ10によって短絡され、また、端子Ｔ13と端子Ｔ14は開放状態にある。また、コンバータ装置９２において端子Ｔ11と端子Ｔ12は開放状態、端子Ｔ13と端子Ｔ14も開放状態にある。すなわち、出力端子部９７の端子Ｔ12の電位は接地電位、端子Ｔ14の電位は＋Ｖcc電位、動作選択信号Ｍodeは接地電位となるため、接続判別手段７３からの接続判別信号ＣＯＮはハイレベルとなる。従って、コンバータ装置９１の相設定手段７２ではリレー回路８１が動作して開放電位の相設定信号Psetが出力される。
【０１０２】
また、コンバータ装置９２においては、端子Ｔ12の電位が＋Ｖccとなるため、接続判別手段７３からの接続判別信号ＣＯＮはローレベルとなる。従って、コンバータ装置９２の相設定手段７２ではリレー回路８１が動作しないので接地電位の相設定信号Psetが出力される。
【０１０３】
このように、コンバータ装置９１では開放電位の相設定信号Ｐsetがコンバータ制御ＩＣ１６に供給され、コンバータ装置９２では接地電位の相設定信号Ｐsetがコンバータ制御ＩＣ１６に供給されることで、コンバータ装置９１がマスターコンバータ装置として動作し、コンバータ装置９２がスレーブコンバータ装置として動作して４フェーズ動作を行うことになる。
【０１０４】
また、コンバータ装置９１とコンバータ装置９２とコンバータ装置９３を使用して６フェーズ型ＤＣ／ＤＣコンバータとして動作させる場合は、コンバータ装置９１の出力端子部９７にコンバータ装置９２の凸形状の入力端子部９５が嵌合され、コンバータ装置９２の出力端子部９８にコンバータ装置９３の凸形状の入力端子部９６が嵌合される。この場合、コンバータ装置９１の端子Ｔ1と端子Ｔ2は開放状態、コンバータ装置９２の端子Ｔ1と端子Ｔ2はコンバータ装置９１の動作設定端子Ｔ7と動作設定端子Ｔ8が短絡していることから短絡状態、コンバータ装置９３の端子Ｔ1と端子Ｔ2はコンバータ装置９２の動作設定端子Ｔ7と動作設定端子Ｔ8が短絡していることから短絡状態になる。
【０１０５】
すなわち、コンバータ装置９１においては、クロック信号ＣＬＫ0として信号ＣＬＫset、出力電圧制御用信号Ｖset0として信号Ｖset、出力電流制御信号Ｉth0として信号Ｉthが選択され、動作選択手段７１からの動作選択信号Ｍodeとして接地電位が設定される。また、コンバータ装置９２及びコンバータ装置９３においては、クロック信号ＣＬＫ0として信号ＣＬＫin、出力電圧制御用信号Ｖset0として信号Ｖsetin、出力電流制御信号Ｉth0として信号Ｉthinが選択され、動作選択手段７１からの動作選択信号Ｍodeとして＋Ｖcc電位が設定される。
【０１０６】
また、コンバータ装置９１においては、出力端子部９７のＴ11端子とＴ12端子が短絡され、Ｔ13端子とＴ14端子も短絡されるので、接続判別手段７３のアンド回路８０から出力する接続判別信号ＣＯＮはローレベルとなり、相設定手段７２からコンバータ制御ＩＣ１６に供給される相設定信号Ｐsetは接地電位となる。また、コンバータ装置９２においては出力端子部９８のＴ11端子とＴ12端子が短絡され、Ｔ13端子とＴ14端子が開放されるが、動作選択信号Ｍodeがハイレベルとなっているので、接続判別手段７３のアンド回路８０から出力する接続判別信号ＣＯＮはローレベルとなり、相設定手段７２からコンバータ制御ＩＣ１６に供給される相設定信号Ｐsetは接地電位となる。また、コンバータ装置９３においては出力端子部９９のＴ11端子とＴ12端子が開放され、Ｔ13端子とＴ14端子も開放されているので、接続判別手段７３のアンド回路８０から出力する接続判別信号ＣＯＮはローレベルとなり、相設定手段７２からコンバータ制御ＩＣ１６に供給される相設定信号Ｐsetは接地電位となる。
【０１０７】
このように、コンバータ装置９１では接地電位の相設定信号Ｐsetがコンバータ制御ＩＣ１６に供給され、コンバータ装置９２では接地電位の相設定信号Ｐsetがコンバータ制御ＩＣ１６に供給され、コンバータ装置９３では接地電位の相設定信号Ｐsetがコンバータ制御ＩＣ１６に供給されることで、コンバータ装置９１がマスターコンバータ装置として動作し、コンバータ装置９２、９３がスレーブコンバータ装置として動作して６フェーズ動作を行うことになる。なお、各コンバータ装置９１，９２，９３は同一の回路構成なので、コンバータ装置の順番を入れ替えても問題は無い。
【０１０８】
このような構成においては、コンバータ装置の動作選択手段７１における信号選択や相設定手段７２における相設定を、他のコンバータ装置が接続するか否かにより自動的に設定できる構成としたので、信号選択及び相設定が容易かつ確実にできる。また、出力電流容量や相数を変更したい場合に必要な台数のコンバータ装置を入出力端子部で接続すればよく、出力電流容量を変更したい場合や相数を変更したい場合に容易に対応できる。
【０１０９】
さらに、コンバータ装置の入力端子部を凸形状とし、その入力端子部を他のコンバータ装置の切欠き形状の出力端子部に嵌合することで両者を接続するので、制御用信号線や嵌合型配線部などの配線部材を不要にでき、使用部品数を削減できるとともにマルチフェーズ型コンバータ装置として操作性を向上できる。
【０１１０】
なお、コンバータ装置の入力端子部及び出力端子部の形状はこれに限定するものではなく、入力端子部を切欠き形状とし、出力端子部を凸形状としても、また、その他の形状であってもよく、要は複数コンバータを接続する際に面一で嵌合できる形状であれば良い。
【０１１１】
（第７の実施の形態）
この実施の形態は、前述した第６の実施の形態において、さらに、各コンバータ装置９１，９２，９３の入力電源端子Ｖin(+)、Ｖin(-)と出力電圧端子Ｖout(+)、Ｖout(-)を、各コンバータ装置を接続するときに接合する側面に配置した点に特徴がある。なお、前述した実施の形態と同一の部分には同一の符号を付し詳細な説明は省略する。
【０１１２】
図２９に示すように、６フェーズ型ＤＣ／ＤＣコンバータシステムを構築する場合は、３つのＤＣ／ＤＣコンバータ装置９１，９２，９３を接続する。すなわち、コンバータ装置９１の出力端子部９７にコンバータ装置９２の凸形状の入力端子部９５を嵌合し、コンバータ装置９２の出力端子部９８にコンバータ装置９３の凸形状の入力端子部９６を嵌合することで電気的に接続する。そして、マスターコンバータ装置を構成するコンバータ装置９１の主入力電源端子Ｖin(+)、Ｖin(-)を直流入力電源ＶDCに接続し、主出力電圧端子Ｖout(+)、Ｖout(-)を負荷ＲＬに接続している。
【０１１３】
前記コンバータ装置９１は、図３０に示すように、出力端子部９７を突出した側面の下部にバネ力によって外部に突出した形状の第１の副入力電源端子Ｖin(+)1、Ｖin(-)1と第１の副出力電源端子Ｖout(+)1、Ｖout(-)1を並べて配置し、入力端子部９４を突出した側面に下部にバネ力によって外部に突出した形状の第２の副入力電源端子Ｖin(+)2、Ｖin(-)2と第２の副出力電源端子Ｖout(+)2、Ｖout(-)2を並べて配置している。
【０１１４】
そして、装置内部において、主入力電源端子Ｖin(+)と各副入力電源端子Ｖin(+)1、Ｖin(+)2を電気的に接続し、主入力電源端子Ｖin(-)と各副入力電源端子Ｖin(-)1、Ｖin(-)2を電気的に接続している。また、主出力電圧端子Ｖout(+)と各副出力電源端子Ｖout(+)1、Ｖout(+)2を電気的に接続し、主出力電圧端子Ｖout(-)と各副出力電源端子Ｖout(-)1、Ｖout(-)2を電気的に接続している。  
図３０はコンバータ装置９１の構成を示しているが、他のコンバータ装置９２，９３においても構成は同じである。
【０１１５】
図３１は回路構成を示す図で、入力電源端子及び出力電圧端子の構成以外は前述した図２７の回路構成と同じである。すなわち、前記主入力電源端子Ｖin(+)及び各副入力電源端子Ｖin(+)1、Ｖin(+)2を入力コンデンサＣinの正極端子に接続し、主入力電源端子Ｖin(-)及び各副入力電源端子Ｖin(-)1、Ｖin(-)2を入力コンデンサＣinの負極端子に接続している。また、前記主出力電圧端子Ｖout(+)及び各副出力電源端子Ｖout(+)1、Ｖout(+)2を出力コンデンサＣoutの正極端子に接続し、主出力電圧端子Ｖout(-)及び各副出力電源端子Ｖout(-)1、Ｖout(-)2を出力コンデンサＣoutの負極端子に接続している。
【０１１６】
このような構成においては、例えば、６フェーズ型ＤＣ／ＤＣコンバータシステムを構築する場合は、コンバータ装置９１の出力端子部９７にコンバータ装置９２の凸形状の入力端子部９５を嵌合し、コンバータ装置９２の出力端子部９８にコンバータ装置９３の凸形状の入力端子部９６を嵌合することで構築する。そして、このときコンバータ装置９１の出力端子部側の側面に配置した第１の副入力電源端子Ｖin(+)1、Ｖin(-)1と第１の副出力電源端子Ｖout(+)1、Ｖout(-)1が、コンバータ装置９２の入力端子部側の側面に配置した第２の副入力電源端子Ｖin(+)2、Ｖin(-)2と第２の副出力電源端子Ｖout(+)2、Ｖout(-)2にそれぞれ接触する。また、コンバータ装置９２の出力端子部側の側面に配置した第１の副入力電源端子Ｖin(+)1、Ｖin(-)1と第１の副出力電源端子Ｖout(+)1、Ｖout(-)1が、コンバータ装置９３の入力端子部側の側面に配置した第２の副入力電源端子Ｖin(+)2、Ｖin(-)2と第２の副出力電源端子Ｖout(+)2、Ｖout(-)2にそれぞれ接触する。
【０１１７】
こうして、コンバータ装置９１以外の他のコンバータ装置９２，９３も回路部が直流入力電源ＶDCに接続するとともに負荷ＲＬに接続する。  
これにより、直流入力電源ＶDC及び負荷ＲＬとコンバータ装置９１，９２，９３とを接続する配線数を減らすことができ、全体としてよりコンパクト化を図ることができる。なお、その他については前述した第６の実施の形態と同様の作用効果が得られるものである。
【０１１８】
（第８の実施の形態）
この実施の形態は、前述した第７の実施の形態と同じ回路構成において、コンバータ装置を縦に重ねる構成にしたものである。すなわち、図３２に示すように、３つのＤＣ／ＤＣコンバータ装置１０１，１０２，１０３を重ね、一番下のコンバータ装置１０１をマスターコンバータ装置として、その主入力電源端子Ｖin(+)、Ｖin(-)を直流入力電源ＶDCに接続し、主出力電圧端子Ｖout(+)、Ｖout(-)を負荷ＲＬに接続している。
【０１１９】
前記各コンバータ装置１０１，１０２，１０３は、前面に主入力電源端子Ｖin(+)、Ｖin(-)及び主出力電圧端子Ｖout(+)、Ｖout(-)を配置し、上面中央部に第１の副入力電源端子Ｖin(+)1、Ｖin(-)1と第１の副出力電源端子Ｖout(+)1、Ｖout(-)1を並べて配置し、下面中央部に第２の副入力電源端子Ｖin(+)2、Ｖin(-)2と第２の副出力電源端子Ｖout(+)2、Ｖout(-)2を並べて配置している。各端子の接続は、前述した第７の実施の形態と同じである。
【０１２０】
また、前記各コンバータ装置１０１，１０２，１０３は、下面後部中央に凹部１０４を形成し、その凹部１０４内に入力端子部１０５を形成し、上面後部中央に前記凹部１０４に嵌合する形状の凸部１０６を形成し、この凸部１０６に出力端子部１０７を形成している。そして、コンバータ装置の上に他のコンバータ装置を重ねる場合に、図中矢印で示すように、上側のコンバータ装置を下のコンバータ装置に対して手前側から後方に移動させて下側のコンバータ装置の凸部１０６を上のコンバータ装置の凹部１０４内に挿入して嵌合し、入力端子部１０５に出力端子部１０７を挿入して各端子を接続するようにしている。
【０１２１】
このような構成においては、例えば、３つのコンバータ装置１０１，１０２，１０３を使用して６フェーズ型ＤＣ／ＤＣコンバータシステムを構築する場合や２つのコンバータ装置１０１，１０２を重ねて４フェーズ型ＤＣ／ＤＣコンバータシステムを構築する場合にさらにコンパクト化を図ることができる。なお、その他については前述した第７の実施の形態と同様の作用効果が得られるものである。
【０１２２】
（第９の実施の形態）
この実施の形態は、コンバータ装置の構成は前述した第７の実施の形態と同じ構成である。すなわち、図３３に示すように、コンバータ装置９１の出力端子部９７にコンバータ装置９２の凸形状の入力端子部９５を嵌合し、コンバータ装置９２の出力端子部９８にコンバータ装置９３の凸形状の入力端子部９６を嵌合することで各コンバータ装置９１，９２，９３を電気的に接続し、６フェーズ型ＤＣ／ＤＣコンバータシステムを構築する。
【０１２３】
そして、前述した第７の実施の形態と異なる点は、直流入力電源ＶDCに代えて、商用交流電源１１０に接続したＡＣ／ＤＣコンバータ装置１１１を使用した点にある。すなわち、前記ＡＣ／ＤＣコンバータ装置１１１は、交流電源入力端子ＡＣＶin(+)、ＡＣＶin(-)と出力電圧端子Ｖout(+)、Ｖout(-)を設け、前記交流電源入力端子ＡＣＶin(+)、ＡＣＶin(-)を商用交流電源１１０に接続し、前記出力電圧端子Ｖout(+)、Ｖout(-)を負荷ＲＬに接続している。
【０１２４】
前記ＡＣ／ＤＣコンバータ装置１１１は、図３４に示すように、さらに、前記コンバータ装置９１の凸形状の入力端子部９４が嵌合する切欠き部１１２を形成するとともに同じ側面の下部にバネ力によって外部に突出した形状の直流出力電圧端子ＤＣＶout(+)、ＤＣＶout(-)と直流入力端子Ｖoutin(+)、Ｖoutin(-)を並べて配置している。そして、直流入力端子Ｖoutin(+)、Ｖoutin(-)と前記出力電圧端子Ｖout(+)、Ｖout(-)を装置内部で接続している。
【０１２５】
前記ＡＣ／ＤＣコンバータ装置１１１の切欠き部１１２にコンバータ装置９１の入力端子部９４が嵌合しＡＣ／ＤＣコンバータ装置１１１とコンバータ装置９１が接触したとき、ＡＣ／ＤＣコンバータ装置１１１の直流出力電圧端子ＤＣＶout(+)、ＤＣＶout(-)と直流入力端子Ｖoutin(+)、Ｖoutin(-)がコンバータ装置９１の第２の副入力電源端子Ｖin(+)2、Ｖin(-)2と第２の副出力電源端子Ｖout(+)2、Ｖout(-)2にそれぞれ接触するようになる。
【０１２６】
前記ＡＣ／ＤＣコンバータ装置１１１の回路構成は、図３５に示すように、交流電源入力端子ＡＣＶin(+)、ＡＣＶin(-)に、フィルタ回路１１３、高調波抑制用チョークコイル１１４を介して全波整流回路１１５の入力端子を接続し、その全波整流回路１１５の出力端子に平滑コンデンサ１１６を接続している。そして、前記平滑コンデンサ１１６の両端に前記直流出力電圧端子ＤＣＶout(+)、ＤＣＶout(-)を接続している。
【０１２７】
このような構成においては、ＡＣ／ＤＣコンバータ装置１１１の切欠き部１１２にＤＣ／ＤＣコンバータ装置９１の入力端子部を嵌合させて一体化するのみで、各コンバータ装置９１，９２，９３にはＡＣ／ＤＣコンバータ装置１１１から直流電圧が供給される。また、各コンバータ装置９１，９２，９３はＡＣ／ＤＣコンバータ装置１１１の直流入力端子Ｖoutin(+)、Ｖoutin(-)及び出力電圧端子Ｖout(+)、Ｖout(-)を経由して負荷ＲＬに接続される。これにより、配線をさらに減らすことができ、全体のコンパクト化を図ることができる。なお、その他については前述した第７の実施の形態と同様の作用効果が得られるものである。
【０１２８】
（第１０の実施の形態）
この実施の形態は、前述した第９の実施の形態と同じ回路構成において、ＡＣ／ＤＣコンバータ装置及び複数のＤＣ／ＤＣコンバータ装置を縦に重ねる構成にしたものである。なお、ＤＣ／ＤＣコンバータ装置の構成は前述した第８の実施の形態と同じである。すなわち、図３６に示すように、３つのＤＣ／ＤＣコンバータ装置１０１，１０２，１０３を重ね、一番下のコンバータ装置１０１をマスターコンバータ装置としている。そして、これをＡＣ／ＤＣコンバータ装置１２１の上に重ねるようにしている。
【０１２９】
前記ＡＣ／ＤＣコンバータ装置１２１は、前面に交流電源入力端子ＡＣＶin(+)、ＡＣＶin(-)と出力電圧端子Ｖout(+)、Ｖout(-)を配置し、上面中央部に直流出力電圧端子ＤＣＶout(+)、ＤＣＶout(-)と直流入力端子Ｖoutin(+)、Ｖoutin(-)を配置している。また、上面後部中央に前記ＤＣ／ＤＣコンバータ装置１０１の凹部に嵌合する形状の凸部１２２を形成している。
【０１３０】
このような構成においては、ＡＣ／ＤＣコンバータ装置１２１の上に、例えば、３つのＤＣ／ＤＣコンバータ装置１０１，１０２，１０３を重ねることで６フェーズ型ＤＣ／ＤＣコンバータシステムを構築することができ、２つのＤＣ／ＤＣコンバータ装置１０１，１０２を重ねることで４フェーズ型ＤＣ／ＤＣコンバータシステムを構築することができ、また、１つのＤＣ／ＤＣコンバータ装置１０１を重ねることで２フェーズ型ＤＣ／ＤＣコンバータシステムを構築することができ、電源も含めたシステム全体のコンパクト化を図ることができる。なお、その他については前述した第８の実施の形態と同様の作用効果が得られるものである。
【図面の簡単な説明】
【０１３１】
【図１】本発明の第１の実施の形態に係る、マルチフェーズ型ＤＣ／ＤＣコンバータシステムの構成を示す図。
【図２】同実施の形態に係る、ＤＣ／ＤＣコンバータシステムの外観図。
【図３】同実施の形態に係る、ＤＣ／ＤＣコンバータ装置の回路構成を示す図。
【図４】図３の回路における動作選択手段の回路構成を示す図。
【図５】同実施の形態に係る、制御用信号線の構成を示す図。
【図６】同実施の形態に係る、制御用信号線のコネクタ部とこのコネクタ部を嵌合する凹部の構成を示す図。
【図７】図６の入力端子部内に配置された動作選択手段の構成を示す部分拡大図。
【図８】図７の動作選択手段の動作を説明するための部分拡大図。
【図９】同実施の形態に係る、マルチフェーズ制御における各部の動作タイミングと電流波形を示す図。
【図１０】同実施の形態における動作選択手段の変形例を示す図。
【図１１】図１０の動作選択手段の構成を示す部分拡大図。
【図１２】本発明の第２の実施の形態に係る、マルチフェーズ型ＤＣ／ＤＣコンバータシステムの外観図。
【図１３】同実施の形態における入出力端子部及び嵌合型配線部材の構成を示す部分拡大図。
【図１４】同実施の形態における動作選択手段の変形例を示す図。
【図１５】本発明の第３の実施の形態で使用する制御用信号線の構成を示す図。
【図１６】同実施の形態で使用する動作選択手段の回路構成を示す図。
【図１７】本発明の第４の実施の形態で使用する制御用信号線の構成を示す図。
【図１８】同実施の形態で使用する他の制御用信号線の構成を示す図。
【図１９】同実施の形態で使用する相設定手段の回路構成を示す図。
【図２０】同実施の形態で使用する嵌合型配線部材の構成を示す図。
【図２１】同実施の形態で使用する他の嵌合型配線部材の構成を示す図。
【図２２】本発明の第５の実施の形態に係る、ＤＣ／ＤＣコンバータ装置の回路構成を示す図。
【図２３】同実施の形態における入出力端子部及び嵌合型配線部材の構成を示す部分拡大図。
【図２４】同実施の形態で使用する動作選択手段の回路構成を示す図。
【図２５】同実施の形態で使用する接続判別手段及び相設定手段の回路構成を示す図。
【図２６】本発明の第６の実施の形態に係る、マルチフェーズ型ＤＣ／ＤＣコンバータシステムの外観図。
【図２７】同実施の形態に係る、ＤＣ／ＤＣコンバータ装置の回路構成を示す図。
【図２８】同実施の形態における入出力端子部の構成を示す部分拡大図。
【図２９】本発明の第７の実施の形態に係る、マルチフェーズ型ＤＣ／ＤＣコンバータシステムの外観図。
【図３０】同実施の形態のコンバータ装置の入出力電源端子の構成を示す斜視図。
【図３１】同実施の形態に係る、ＤＣ／ＤＣコンバータ装置の回路構成を示す図。
【図３２】本発明の第８の実施の形態に係る、マルチフェーズ型ＤＣ／ＤＣコンバータシステムの外観図。
【図３３】本発明の第９の実施の形態に係る、マルチフェーズ型ＤＣ／ＤＣコンバータシステムの外観図。
【図３４】同実施の形態におけるＡＣ／ＤＣコンバータ装置の入出力電源端子の構成を示す斜視図。
【図３５】同実施の形態におけるＡＣ／ＤＣコンバータ装置の回路構成を示す図。
【図３６】本発明の第１０の実施の形態に係る、マルチフェーズ型ＤＣ／ＤＣコンバータシステムの外観図。
【符号の説明】
【０１３２】
１，２，３…ＤＣ／ＤＣコンバータ装置、７，８，９…入力端子部、１０，１１，１２…出力端子部、１３，１４…制御信号線、１６…コンバータ制御ＩＣ、１７…動作選択手段、１８…クロック信号発生回路、１９…出力電圧制御信号発生回路、２０…出力電流制御信号発生回路、２１…相設定手段。
【図１】
2006280092.tif 000005
【図２】
2006280092.tif 000006
【図３】
2006280092.tif 000007
【図４】
2006280092.tif 000008
【図５】
2006280092.tif 000009
【図６】
2006280092.tif 000010
【図７】
2006280092.tif 000011
【図８】
2006280092.tif 000012
【図９】
2006280092.tif 000013
【図１０】
2006280092.tif 000014
【図１１】
2006280092.tif 000015
【図１２】
2006280092.tif 000016
【図１３】
2006280092.tif 000017
【図１４】
2006280092.tif 000018
【図１５】
2006280092.tif 000019
【図１６】
2006280092.tif 000020
【図１７】
2006280092.tif 000021
【図１８】
2006280092.tif 000022
【図１９】
2006280092.tif 000023
【図２０】
2006280092.tif 000024
【図２１】
2006280092.tif 000025
【図２２】
2006280092.tif 000026
【図２３】
2006280092.tif 000027
【図２４】
2006280092.tif 000028
【図２５】
2006280092.tif 000029
【図２６】
2006280092.tif 000030
【図２７】
2006280092.tif 000031
【図２８】
2006280092.tif 000032
【図２９】
2006280092.tif 000033
【図３０】
2006280092.tif 000034
【図３１】
2006280092.tif 000035
【図３２】
2006280092.tif 000036
【図３３】
2006280092.tif 000037
【図３４】
2006280092.tif 000038
【図３５】
2006280092.tif 000039
【図３６】
2006280092.tif 000040